(57)【要約】      （修正有）【課題】箸等の挿入袋としての機能を的確に保持できると共に、この袋を破れの少ない紙ナプキンとして容易に広げることができる挿入袋を提供する。【解決手段】ナプキン紙を縦折れ目１で折畳み、この縦折れ目と直交する横折れ目６でさらに二つ折りした二つの紙片部７ａ，７ｂの折畳み対向紙面８ａ，８ｂを、接着剤塗布部による局部的な接着部位１０で接着して挿入袋部１２を形成した。そして、接着剤塗布部を介して接着される対向紙面８ｂの接着部位１０の近くの位置に切れ目１５を形成し、この切れ目を横幅方向切れ目１５Ａとした。【選択図】図１
0003155561.tif 000002
【実用新案登録請求の範囲】
【請求項１】
ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面における一方の紙面に接着剤を局部的に塗布し、この局部的な接着剤塗布部を介して前記折畳み対向紙面における他方の紙面を接着し、よって折畳み紙ナプキンの前記折畳み対向紙面を前記接着剤塗布部による局部的な接着部位において接着し、この局部的な接着部位を、前記折畳み紙ナプキンの横幅サイズ方向における横幅間隔を区画する両位置であり、該両位置において前記横折れ目と交わる延長方向にある一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共にこの挿入袋部の開放端側を挿入口として形成し、且つ、前記接着剤塗布部を介して接着される他方の紙面における前記接着部位の近くの位置に切れ目を形成し、この切れ目を該接着部位の位置より前記横折れ目の方向に形成すると共に該接着部位の横巾より広い範囲に亘って前記折畳み紙ナプキンの縦幅方向と交わる方向に延びる切れ目長さの横幅方向切れ目とした、ことを特徴とする紙ナプキン兼用挿入袋。
【請求項２】
ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面における一方の紙面に接着剤を局部的に塗布し、この局部的な接着剤塗布部を介して前記折畳み対向紙面における他方の紙面を接着し、よって折畳み紙ナプキンの前記折畳み対向紙面を前記接着剤塗布部による局部的な接着部位において接着し、この局部的な接着部位を、前記折畳み紙ナプキンの横幅サイズ方向における横幅間隔を区画する両位置であり、該両位置において前記横折れ目と交わる延長方向にある一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共にこの挿入袋部の開放端側を挿入口として形成し、且つ、前記接着剤塗布部を介して接着される他方の紙面における前記接着部位の近くの位置に切れ目を形成し、この切れ目を、該接着部位の位置より前記横折れ目の方向に形成すると共に該接着部位の横巾より広い範囲に亘って前記折畳み紙ナプキンの縦幅方向と交わる方向に延びる切れ目長さの横幅方向切れ目と、該接着部位の両側近くの位置から前記横幅方向切れ目と交わる方向に延びる２本の縦幅方向切れ目とした、ことを特徴とする紙ナプキン兼用挿入袋。
【請求項３】
ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、この局部的な接着部位を、前記折畳み紙ナプキンの横幅サイズ方向における横幅間隔を区画する両位置であり、該両位置において前記横折れ目と交わる延長方向にある一箇所の位置としてあり、前記折畳み対向紙面間に前記横折れ目と前記接着部位で該接着部位によって区画された前記横幅間隔を挿入横幅とする挿入袋部を形成すると共にこの挿入袋部の開放端側を挿入口として形成し、且つ前記接着部位を局部的に囲む不連続な切れ目を前記折畳み対向紙面のいずれか一方の紙面に形成したことを特徴とする紙ナプキン兼用挿入袋。
【請求項４】
横幅方向に略均等な間隔をおいた互いに平行な複数の直線状の縦折れ目で、略均等な横幅の四つ以上の紙片を区画したナプキン紙であり、このナプキン紙を、前記縦折れ目で複数回折畳み、この複数回折畳みにおける最後の折畳みが既に折畳まれた該ナプキン紙の横幅方向の中心部に位置する前記縦折れ目を中心部縦折れ目とした二つ折りとし、前記中心部縦折れ目で二つ折りされた二つの折畳み部の両方が略均等な横幅の紙片を二層以上重ねた折畳み形態とし、この折畳み形態において少なくとも一側縁が前記中心部縦折れ目で形成された両側縁をもち、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向にある一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成したことを特徴とする紙ナプキン兼用挿入袋。
【請求項５】
ナプキン紙を直線状の縦折れ目で略均等な横幅の紙片に二つ折りし、二つ折りされた該ナプキン紙を前記縦折れ目と平行で且つ横幅方向の中心部に位置する中心部縦折れ目に沿って更に二つ折りし、前記中心部縦折れ目で二つ折りされた二つの折畳み部の両方が略均等な横幅の紙片を二層重ねた折畳み形態とし、この折畳み形態において前記中心部縦折れ目で一側縁を形成すると共に前記縦折れ目又はこの縦折れ目と平行な側縁で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目及び前記中心部縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向にある一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成したことを特徴とする紙ナプキン兼用挿入袋。
【請求項６】
ナプキン紙の横幅方向の両側部を互いに平行な直線状の側部縦折れ目に沿って内側に折畳み、両側縁を前記側部縦折れ目とした縦折りナプキン紙とし、この縦折りナプキン紙を前記側部縦折れ目と平行で且つ前記側部縦折れ目間の横幅方向の中心部に位置する中心部縦折れ目に沿って前記側部縦折れ目で折畳まれた紙片を内側にして更に二つ折りに折畳み、前記中心部縦折れ目で二つ折りされた二つの折畳み部の両方の側縁が前記側部縦折れ目で形成された折畳み形態とし、この折畳み形態において前記中心部縦折れ目で一側縁を形成すると共に前記側部縦折れ目で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向にある一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成したことを特徴とする紙ナプキン兼用挿入袋。
【請求項７】
横幅方向の略中心に位置する中心部縦折れ目と該中心部縦折れ目と互いに平行であり該中心部縦折れ目を基準にして左右横幅方向に略均等な間隔をおいた側部縦折れ目とで、横幅方向に略均等な四つの紙片を区画したナプキン紙とし、このナプキン紙の両側の紙片を該紙片を区画する前記側部縦折れ目に沿って内側に折畳み、両側縁を前記側部縦折れ目とした略二層重ね構造の縦折りナプキン紙とし、この縦折りナプキン紙を前記側部縦折れ目間の横幅方向の中心部に位置する前記中心部縦折れ目に沿って前記側部縦折れ目で折畳まれた紙片を内側にして更に二つ折りに折畳み、前記中心部縦折れ目で二つ折りされた二つの折畳み部の両方の側縁が前記側部縦折れ目で形成された折畳み形態とし、この折畳み形態において前記中心部縦折れ目で一側縁を形成すると共に前記側部縦折れ目で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向にある一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成したことを特徴とする紙ナプキン兼用挿入袋。
【請求項８】
横幅方向に略均等な間隔をおいた互いに平行な縦折れ目で、横幅方向に略均等な三つの紙片を区画すると共に、一端側の前記紙片の側部に前記縦折れ目と平行な短紙片用縦折れ目で区画された前記紙片より短い横幅の短紙片をもつナプキン紙であり、このナプキン紙の両側の紙片及び短紙片を、これらの紙片を区画する縦折れ目に沿って内側に折畳み、両側縁を前記縦折れ目と前記短紙片用縦折れ目とした縦折りナプキン紙とし、この縦折りナプキン紙を、前記縦折れ目と前記短紙片用縦折れ目との間の横幅方向の中心部に位置する前記縦折れ目を中心部縦折れ目として該中心部縦折れ目に沿って前記縦折れ目で折畳まれた紙片及び短紙片を内側にして更に二つ折りに折畳み、前記中心部縦折れ目で二つ折りされた二つの折畳み部の両方の側縁が縦折れ目で形成された折畳み形態とし、この折畳み形態において前記中心部縦折れ目で一側縁を形成すると共に前記縦折れ目で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向にある一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成したことを特徴とする紙ナプキン兼用挿入袋。
【請求項９】
ナプキン紙の両側部を該ナプキン紙の横幅方向の中心部に至らない横幅の短い短紙片とするべく互いに平行な直線状の側部縦折れ目に沿って内側に折畳み、両側縁を前記側部縦折れ目とした縦折りナプキン紙とし、この縦折りナプキン紙を前記側部縦折れ目と平行で且つ前記側部縦折れ目間の横幅方向の中心部に位置する中心部縦折れ目に沿って前記側部縦折れ目で折畳まれた短紙片を内側にして更に二つ折りに折畳み、前記中心部縦折れ目で二つ折りされた二つの折畳み部の両方の側縁が前記側部縦折れ目で形成された折畳み形態とし、この折畳み形態において前記中心部縦折れ目で一側縁を形成すると共に前記側部縦折れ目で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向にある一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成したことを特徴とする紙ナプキン兼用挿入袋。
【請求項１０】
横幅方向の略中心に位置する中心部縦折れ目と該中心部縦折れ目と互いに平行であり該中心部縦折れ目を基準にして左右横幅方向に略均等な間隔をおいた側部縦折れ目とで、横幅方向に略均等な四つの紙片を区画すると共に、一端側の紙片の側部に前記側部縦折れ目と平行な短紙片用縦折れ目で区画された前記紙片より短い横幅の短紙片をもつナプキン紙であり、このナプキン紙の前記短紙片が反対側の紙片間に挟まれるように前記側部縦折れ目で両側の紙片を内側に折畳み、前記側部縦折れ目で内側に折畳まれた紙片を内側にして前記中心部縦折れ目及び該中心部縦折れ目と略同一線上に位置する前記短紙片用縦折れ目で更に二つ折りに折畳み、前記中心部縦折れ目で二つ折りされた二つの折畳み部の両方の側縁が前記側部縦折れ目で形成された折畳み形態とし、この折畳み形態において、前記中心部縦折れ目で一側縁を形成すると共に前記側部縦折れ目で他側縁を形成し、この両側縁で横幅サイズを区画すると共にこの両側縁と交わる両端縁で縦幅サイズを区画され、且つ前記短紙片が反対側の紙片間に挟まれた状態で前記短紙片用縦折れ目に沿って折畳まれた縦折り紙ナプキンとし、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向にある一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成したことを特徴とする紙ナプキン兼用挿入袋。
【請求項１１】
横幅方向の略中心に位置する中心部縦折れ目と該中心部縦折れ目と互いに平行であり該中心部縦折れ目を基準にして左右横幅方向に略均等な間隔をおいた側部縦折れ目とで、横幅方向に略均等な四つの紙片を区画すると共に、両端側の前記紙片の側部に前記側部縦折れ目と平行な短紙片用縦折れ目で区画された前記紙片より短い横幅の短紙片をそれぞれもつナプキン紙であり、このナプキン紙の一方の前記短紙片が反対側の紙片間に挟まれると共に他方の前記短紙片が反対側の紙片上に重なるように前記側部縦折れ目で両側の紙片を内側に折畳み、前記側部縦折れ目で内側に折畳まれた紙片を内側にして前記中心部縦折れ目及び該中心部縦折れ目と略同一線上に位置する前記短紙片用縦折れ目で更に二つ折りに折畳み、前記中心部縦折れ目で二つ折りされた二つの折畳み部の両方の側縁が前記側部縦折れ目で形成された折畳み形態とし、この折畳み形態において、前記中心部縦折れ目で一側縁を形成すると共に前記側部縦折れ目で他側縁を形成し、この両側縁で横幅サイズを区画すると共にこの両側縁と交わる両端縁で縦幅サイズを区画され、且つ一方の短紙片が反対側の紙片間に挟まれた状態で前記短紙片用縦折れ目に沿って折畳まれると共に他方の短紙片も前記短紙片用縦折れ目に沿って折畳まれた縦折り紙ナプキンとし、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向にある一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成したことを特徴とする紙ナプキン兼用挿入袋。
【請求項１２】
ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンであり、この縦折り紙ナプキンの前記両端縁を、前記両側縁間の中心で該両側縁と平行に設定された縦中心線を略基準にして、一方の側縁に至る凹み部を画成する凹み端縁と他方の側縁に至る突片部を画成する突状端縁とでそれぞれ形成し、前記両端縁にそれぞれ形成された前記凹み端縁と前記突状端縁は、前記縦中心線を略基準にして互いに左右逆位置に成るように形成してあり、この縦折り紙ナプキンを、前記縦折れ目と直交する直線状の横折れ目で二つの紙片部に二つ折りし、前記両紙片部間に互いに重ね合わされた折畳み対向紙面をもつと共に、一方の紙片部の前記凹み端縁を該凹み端縁の後位置に在る他方の紙片部の前記突状端縁に対してそれぞれ低い段違い構造に形成した折畳み紙ナプキンであり、この折畳み紙ナプキンの前記折畳み対向紙面を局部的な接着部位において接着し、前記接着部位を、前記折畳み紙ナプキンの横幅サイズ方向の中心部位置と該中心部位置から左右いずれか一方の横幅サイズ方向に間隔をおいた位置とした、横幅サイズ方向における横幅間隔を区画する両位置であり、該両位置において前記横折れ目と交わる延長方向にある一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共にこの挿入袋部の開放端側を挿入口として形成し、且つ前記接着部位を局部的に囲む不連続な切れ目を前記折畳み対向紙面のいずれか一方の紙面に形成したことを特徴とする紙ナプキン兼用挿入袋。
【請求項１３】
ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンであり、この縦折り紙ナプキンの前記両端縁を、前記両側縁間の中心で該両側縁と平行に設定された縦中心線を略基準にして、一方の側縁に至る凹み部を画成する凹み端縁と他方の側縁に至る突片部を画成する突状端縁とでそれぞれ形成し、前記両端縁にそれぞれ形成された前記凹み端縁と前記突状端縁は、前記縦中心線を略基準にして互いに左右逆位置に成るように形成してあり、この縦折り紙ナプキンを、前記縦折れ目と直交する直線状の横折れ目で二つの紙片部に二つ折りし、前記両紙片部間に互いに重ね合わされた折畳み対向紙面をもつと共に、一方の紙片部の前記凹み端縁を該凹み端縁の後位置に在る他方の紙片部の前記突状端縁に対してそれぞれ低い段違い構造に形成した折畳み紙ナプキンであり、この折畳み紙ナプキンの前記折畳み対向紙面を局部的な接着部位において接着し、前記接着部位を、前記折畳み紙ナプキンの横幅サイズ方向の中心部位置と該中心部位置から左右両方の横幅サイズ方向にそれぞれ間隔をおいた位置とした、横幅サイズ方向における複数の横幅間隔を区画する複数位置であり、該複数位置において前記横折れ目と交わる延長方向にある一箇所又は間隔をおいた複数箇所の位置としてあり、前記折畳み対向紙面間に前記横折れ目と前記接着部位で該接着部位によって区画された複数の前記横幅間隔をそれぞれ挿入横幅とする複数の挿入袋部を形成すると共にこの挿入袋部の開放端側を挿入口として形成し、且つ前記接着部位を局部的に囲む不連続な切れ目を前記折畳み対向紙面のいずれか一方の紙面に形成したことを特徴とする紙ナプキン兼用挿入袋。
【請求項１４】
前記折畳み紙ナプキンが、横幅方向に略均等な間隔をおいた互いに平行な複数の直線状の縦折れ目で、略均等な横幅の四つ以上の紙片を区画したナプキン紙であり、このナプキン紙を、前記縦折れ目で複数回折畳み、この複数回折畳みにおける最後の折畳みが既に折畳まれた該ナプキン紙の横幅方向の中心部に位置する前記縦折れ目を中心部縦折れ目とした二つ折りとし、前記中心部縦折れ目で二つ折りされた二つの折畳み部の両方が略均等な横幅の紙片を二層以上重ねた折畳み形態とし、この折畳み形態において少なくとも一側縁が前記中心部縦折れ目で形成された両側縁をもち、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ構造である、請求項１又は２に記載の紙ナプキン兼用挿入袋。
【請求項１５】
前記折畳み紙ナプキンが、ナプキン紙を直線状の縦折れ目で略均等な横幅の紙片に二つ折りし、二つ折りされた該ナプキン紙を前記縦折れ目と平行で且つ横幅方向の中心部に位置する中心部縦折れ目に沿って更に二つ折りし、前記中心部縦折れ目で二つ折りされた二つの折畳み部の両方が略均等な横幅の紙片を二層重ねた折畳み形態とし、この折畳み形態において前記中心部縦折れ目で一側縁を形成すると共に前記縦折れ目又はこの縦折れ目と平行な側縁で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目及び前記中心部縦折れ目と直交する直線状の横折れ目で二つの紙片部に二つ折りし、前記両紙片部間に互いに重ね合わされた折畳み対向紙面をもつ構造である、請求項１又は２に記載の紙ナプキン兼用挿入袋。
【請求項１６】
前記折畳み紙ナプキンが、ナプキン紙の横幅方向の両側部を互いに平行な直線状の側部縦折れ目に沿って内側に折畳み、両側縁を前記側部縦折れ目とした縦折りナプキン紙とし、この縦折りナプキン紙を前記側部縦折れ目と平行で且つ前記側部縦折れ目間の横幅方向の中心部に位置する中心部縦折れ目に沿って前記側部縦折れ目で折畳まれた紙片を内側にして更に二つ折りに折畳み、前記中心部縦折れ目で二つ折りされた二つの折畳み部の両方の側縁が前記側部縦折れ目で形成された折畳み形態とし、この折畳み形態において前記中心部縦折れ目で一側縁を形成すると共に前記側部縦折れ目で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ構造である、請求項１又は２に記載の紙ナプキン兼用挿入袋。
【請求項１７】
前記折畳み紙ナプキンが、横幅方向の略中心に位置する中心部縦折れ目と該中心部縦折れ目と互いに平行であり該中心部縦折れ目を基準にして左右横幅方向に略均等な間隔をおいた側部縦折れ目とで、横幅方向に略均等な四つの紙片を区画したナプキン紙とし、このナプキン紙の両側の紙片を該紙片を区画する前記側部縦折れ目に沿って内側に折畳み、両側縁を前記側部縦折れ目とした略二層重ね構造の縦折りナプキン紙とし、この縦折りナプキン紙を前記側部縦折れ目間の横幅方向の中心部に位置する前記中心部縦折れ目に沿って前記側部縦折れ目で折畳まれた紙片を内側にして更に二つ折りに折畳み、前記中心部縦折れ目で二つ折りされた二つの折畳み部の両方の側縁が前記側部縦折れ目で形成された折畳み形態とし、この折畳み形態において前記中心部縦折れ目で一側縁を形成すると共に前記側部縦折れ目で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ構造である、請求項１又は２に記載の紙ナプキン兼用挿入袋。
【請求項１８】
前記接着部位を、前記折畳み紙ナプキンの横幅サイズ方向における横幅間隔を区画する両位置であり、該両位置において前記横折れ目と交わる延長方向にある間隔をおいた複数箇所の位置としたものにおいて、前記延長方向を前記横折れ目とほぼ直交するものとした請求項１、２、４から１１のいずれかに記載の紙ナプキン兼用挿入袋。
【請求項１９】
前記接着部位を、前記折畳み紙ナプキンの横幅サイズ方向における横幅間隔を区画する両位置であり、該両位置において前記横折れ目と交わる延長方向にある間隔をおいた複数箇所の位置としたものにおいて、前記挿入口側の前記横幅間隔を相対的に広く、前記横折れ目側の前記横幅間隔を相対的に狭く形成し、前記折畳み対向紙面間に前記横折れ目と前記接着部位で該接着部位によって区画された前記横幅間隔を挿入横幅とする略Ｖ字状に区画された挿入袋部を形成した請求項１、２、４から１１のいずれかに記載の紙ナプキン兼用挿入袋。
【請求項２０】
ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、この局部的な接着部位を、前記折畳み紙ナプキンの横幅サイズ方向における横幅間隔を区画する両位置であり、該両位置において前記横折れ目と交わる延長方向にある間隔をおいた複数箇所の位置としてあり、前記折畳み対向紙面間に前記横折れ目と前記接着部位で該接着部位によって区画された前記横幅間隔を挿入横幅とする挿入袋部を形成すると共にこの挿入袋部の開放端側を挿入口として形成し、且つ前記接着部位を局部的に囲む不連続な切れ目を前記折畳み対向紙面のいずれか一方の紙面に形成し、さらに、前記接着部位を、前記挿入口側の前記横幅間隔を相対的に広く、前記横折れ目側の前記横幅間隔を相対的に狭く形成し、前記折畳み対向紙面間に前記横折れ目と前記接着部位で該接着部位によって区画された前記横幅間隔を挿入横幅とする略Ｖ字状に区画された挿入袋部を形成したことを特徴とする紙ナプキン兼用挿入袋。
【請求項２１】
前記接着部位を、前記折畳み紙ナプキンの横幅サイズ方向に複数の横幅間隔を区画するための該横幅サイズ方向に間隔をおいた複数位置とし、前記折畳み対向紙面間に前記横折れ目と前記接着部位で該接着部位によって区画された複数の前記横幅間隔をそれぞれ挿入横幅とする複数の挿入袋部を形成した請求項１から１１のいずれかに記載の紙ナプキン兼用挿入袋。
【請求項２２】
前記接着部位をスポット的なものとした請求項１から１７のいずれかに記載の紙ナプキン兼用挿入袋。
【請求項２３】
前記接着部位を前記横折れ目と交わる延長方向に延ばした形状とした請求項１から１７のいずれかに記載の紙ナプキン兼用挿入袋。
【請求項２４】
前記横幅方向切れ目は繋ぎ部を介さない連続した切れ目とした請求項１に記載の紙ナプキン兼用挿入袋。
【請求項２５】
前記横幅方向切れ目は繋ぎ部を介さない連続した切れ目とし、前記縦幅方向切れ目は繋ぎ部を介さない連続した切れ目若しくは繋ぎ部を介した不連続な切れ目とした請求項２に記載の紙ナプキン兼用挿入袋。
【請求項２６】
前記切れ目が、前記接着部位を個別に囲むものとした請求項３から１３又は２０のいずれかに記載の紙ナプキン兼用挿入袋。
【請求項２７】
前記切れ目が、前記横折れ目と交わる同じ延長方向にある複数箇所の前記接着部位を複数単位として囲むものとした請求項４から１３又は２０のいずれかに記載の紙ナプキン兼用挿入袋。
【請求項２８】
前記切れ目を、前記接着部位の両側に間隔を置いて形成され、切れ目方向を略同方向とした第一切れ目部と、この第一切れ目部の形成間隔より長い切れ目長さをもち、この第一切れ目部の切れ目両端と交差する位置にそれぞれ形成した第二切れ目部で形成し、前記第一切れ目部は繋ぎ部を介した不連続な切れ目とし、前記第二切れ目部は繋ぎ部を介さない連続した切れ目若しくは前記第一切れ目部に比べて繋ぎ部の範囲を少なくした不連続な切れ目としたことを特徴とする請求項３から１３又は２０のいずれかに記載の紙ナプキン兼用挿入袋。
【請求項２９】
前記折畳み紙ナプキンを横幅方向に引っ張ると縦幅方向に沿って破れやすいが、同じ強さで縦幅方向に引っ張っても横幅方向に沿って破れにくい紙質のナプキン紙で形成したものにおいて、前記第一切れ目部の切れ目方向を縦幅方向に向けて形成し、前記第二切れ目部の切れ目方向を前記第一切れ目部の切れ目方向と交差するように形成したことを特徴とする請求項２８に記載の紙ナプキン兼用挿入袋。
【請求項３０】
一方の前記紙片部における前記挿入袋部の挿入口に対応した位置の端縁を縦幅方向に凹む凹状部に形成し、他方の前記紙片部における前記挿入袋部の挿入口に対応した位置の端縁を前記凹状部の凹み面積に対応した縦幅方向に突出する凸状舌片に形成したことを特徴とする請求項１から１１又は１４から２１のいずれかに記載の紙ナプキン兼用挿入袋。
【請求項３１】
前記縦折り紙ナプキンを、前記縦折れ目と直交する直線状の前記横折れ目で長い縦幅と短い縦幅の二つの紙片部に前記両端縁を段違いにして二つ折りにしたことを特徴とする請求項１から１１又は１４から２１のいずれかに記載の紙ナプキン兼用挿入袋。
【請求項３２】
前記短い縦幅の紙片部における前記挿入袋部の挿入口に対応した位置の端縁を縦幅方向に凹む凹状部に形成し、前記長い縦幅の紙片部における前記挿入袋部の挿入口に対応した位置の端縁を前記凹状部の凹み面積に対応した縦幅方向に突出する凸状舌片に形成したことを特徴とする請求項３１に記載の紙ナプキン兼用挿入袋。
【請求項３３】
前記挿入口に最も近い位置にある前記接着部位の位置を、前記短い縦幅の紙片部の端縁から前記横折れ目の方向にずらし、この端縁とずらした接着部位との間を自由端片部としたことを特徴とする請求項３１に記載の紙ナプキン兼用挿入袋。
【請求項３４】
ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、この局部的な接着部位を、前記折畳み紙ナプキンの横幅サイズ方向における横幅間隔を区画する両位置であり、該両位置において前記横折れ目と交わる延長方向にある間隔をおいた複数箇所の位置としてあり、前記折畳み対向紙面間に前記横折れ目と前記接着部位で該接着部位によって区画された前記横幅間隔を挿入横幅とする挿入袋部を形成すると共にこの挿入袋部の開放端側を挿入口として形成し、且つ前記接着部位を局部的に囲む不連続な切れ目を前記折畳み対向紙面のいずれか一方の紙面に形成し、さらに、一方の前記紙片部の少なくとも表面側紙片層に、爪楊枝のつまみ部側が該表面紙片層外に露出された状態で該爪楊枝の先端部側を前記横折れ目に向けて該表面紙片層内に挿入し得る爪楊枝入れ用切れ目を形成したことを特徴とする紙ナプキン兼用挿入袋。
【請求項３５】
一方の前記紙片部の少なくとも表面側紙片層に、爪楊枝のつまみ部側が該表面紙片層外に露出された状態で該爪楊枝の先端部側を前記横折れ目に向けて該表面紙片層内に挿入し得る爪楊枝入れ用切れ目を形成したことを特徴とする請求項１から２１のいずれかに記載の紙ナプキン兼用挿入袋。
【考案の詳細な説明】
【技術分野】
【０００１】
本考案は、例えば、箸、スプーン、フォーク、ナイフ等の飲食用具やコーンソフトクリーム等の食べ物の挿入袋として使用した後、この挿入袋を広げて口や手を拭う食卓用の紙ナプキンとして使用できるようにした紙ナプキン兼用挿入袋に関する。
【背景技術】
【０００２】
例えば、箸、スプーン、フォーク、ナイフ等の挿入袋として使用した後、この袋を広げて食卓用の紙ナプキンとしても使用できるようにした従来技術として、特許文献１〜３が公開されている。
【０００３】
特許文献１の食卓用紙ナプキン兼用箸、スプーン等のカバーは、一枚のナプキン紙を1回又は複数回同方向に折畳み、最後に折畳み方向と直角に折返して重なる二つの紙片の開放した二つの側辺の双方を接着し、二つの紙片と、その両紙片間に箸、スプーン等を挿入する袋部を形成したものである（請求項２）。この接着は接着剤で行なわれ（段落０００５、０００６）、この接着剤の接着力は、食後に口を拭うために使用する際は容易に剥離できるように適度に低いものとしてある（段落０００７）。また、接着範囲は、図示の実施例では側辺の全体を接着してある。換言すれば文献１の接着は容易に剥離されてしまうものと言え、たとえ側辺全体を接着してあっても容易に剥離されてしまうものと言える。したがって、この文献の紙ナプキン兼用カバーは、カバーとして使用する際には袋としての機能を保持しにくいものである。特に金属製のスプーン、フォーク、ナイフ等の重いものや、湾曲した嵩張る形状ゆえ袋内で広い空間を占めるスプーンやフォークを袋内に挿入する場合、特に挿入時に袋にかかる抵抗で接着部が剥離してしまう懸念がある。
【０００４】
また、特許文献１の食卓用紙ナプキン兼用箸、スプーン等のカバーは、一枚のナプキン紙を1回又は複数回同方向に折畳み、最後に折畳み方向と直角に折返して重なる二つの紙片の開放した二つの側辺の双方を接着して、その両紙片間に袋部を形成したものであり、袋部を形成するための接着位置を二つの側辺位置としているため、袋部内に挿入される物（例えば、箸）の横幅に比べて折畳み紙ナプキンの横幅サイズが広い場合（ちなみに一般的に流通している折畳み紙ナプキンの横幅サイズは約８５ｍｍである。）は、挿入された物（例えば、箸）が袋部内で特に横幅方向に大きく移動してしまい、挿入姿勢が安定しない懸念がある。
【０００５】
また、特許文献１のカバーは、セットで使用されることの多い物（例えば、フォークやナイフ）を一つのカバー（袋部）内に一緒に挿入する場合、挿入されたフォークやナイフが袋部内で特に横幅方向に大きく移動してしまい、セット物の挿入姿勢が安定しない懸念がある。
【０００６】
また、特許文献１のカバーは、最初に、一枚のナプキン紙を1回又は複数回同方向に折畳むもので、この縦の折畳み形状（いわゆる、縦折り紙ナプキンを形成するための折畳み形状）として、図２、３の６つ折り（縦折り紙ナプキンとしては３つ折り）、図１の４つ折り（縦折り紙ナプキンとしては２つ折り）を例示しているが、その他、いわゆる、縦折り紙ナプキンを形成するための具代的な折畳み形状の開示はない。
【０００７】
特許文献２のナプキンのついた箸袋は、箸袋の箸挿入先を接着した構造であり、挿入した箸の先端で接着部が剥れてしまう懸念がある。
【０００８】
特許文献３の箸袋ナプキンは、単にナプキン紙を折り畳んだ構造であり、箸袋としては無接着の構造であるため箸袋としての袋形態を保持しにくいものである。
【０００９】
なお、本出願人は特許文献４の折畳み紙ナプキンを公開している。この折畳み紙ナプキンは、二つ折りされた各シート片部の各端縁を左右段違い構造に形成し、取出し容器のいずれの方向からでも重ね合わされた紙ナプキンを一枚ずつ正確に摘んで取り出せるようにしたものである。
【先行技術文献】
【特許文献】
【００１０】
【特許文献１】実用新案登録第３００５３００号公報
【特許文献２】実開昭６３−３４０７７号公報
【特許文献３】実開昭５４−１１９５７４号公報
【特許文献４】特開２００４−６５７００号公報
【考案の概要】
【考案が解決しようとする課題】
【００１１】
このような実情に鑑み、本考案に係る紙ナプキン兼用挿入袋は、箸、スプーン、フォーク、ナイフ等の飲食用具やコーンソフトクリーム（ソフトクリームを食べるときに手で持つコーン形状の部分をコーンと言い、このコーンにソフトクリームを入れたものを言う。）等の食べ物の挿入袋として使用する際は袋としての機能を的確に保持できると共に、この袋を広げて紙ナプキンとして用いる際も、容易に広げることができ、且つ破れの少ない紙ナプキンを提供することを主な目的とするものである（第１の課題）。
【００１２】
また、本考案に係る紙ナプキン兼用挿入袋は、例えば、袋部内に挿入される物（例えば、箸）の横幅に比べて折畳み紙ナプキンの横幅サイズが広い場合（ちなみに一般的に流通している折畳み紙ナプキンの横幅サイズは約８５ｍｍである。）でも、挿入された物（例えば、箸）が袋部内で特に横幅方向に大きく移動せずに安定した挿入姿勢を保持できるようにすることである（第２の課題）。
【００１３】
本考案は、箸等の挿入袋と紙ナプキンを兼用するものである。挿入袋として用いる場合、その全体の横幅サイズは、比較的狭いもので足り、広すぎると挿入袋と挿入される物（例えば、箸）とのバランスが悪い。紙ナプキンとして用いる場合、横幅方向に広げたナプキン紙の全体横幅サイズは比較的広いものが要求される。このような事情を考慮し、本考案は、挿入袋としては、その全体の横幅サイズを比較的狭いものとし、紙ナプキンとしては、横幅方向に広げた全体の横幅サイズを比較的広いものとした、折畳み形状の紙ナプキン兼用挿入袋を提供することを目的とする（第３の課題）。
【００１４】
また、本考案は、挿入袋としての使用後に、この袋を広げて紙ナプキンとして用いる際に、二つ折り状態から広げられた、いわゆる縦折り紙ナプキンを更に横幅方向に広げることが容易な新規な折畳み形状をもつ紙ナプキン兼用挿入袋を提供しようとするものである（第４の課題）。
【００１５】
また、本考案に係る紙ナプキン兼用挿入袋は、セットで使用されることの多い物（例えば、フォークやナイフ）を一緒に一つの挿入袋内に挿入する場合でも、挿入されたフォークやナイフが挿入袋内で特に横幅方向に大きく移動せずに安定した挿入姿勢を保持できるようにすることである（第５の課題）。
【００１６】
また、特許文献１の図面に示したように、挿入袋としてテーブル面上にセットする場合、段違い二つ折りの長い縦幅の紙片部を下にしてテーブル面にセットしている。しかし、段違い二つ折り前の縦幅長さを一定の長さ（例えば、一般的に流通している折畳み紙ナプキンは２４〜２５ｃｍが主流。）に限定しているナプキン紙においては、二つ折りされた長い縦幅の紙片部の縦幅長さにも限界がある。このため、実情としてはテーブル面と箸、スプーン、フォーク等との接触範囲が多くなってしまい不衛生である。本考案に係る紙ナプキン兼用の挿入袋は、この問題も解決しようとするものである（第６の課題）。
【課題を解決するための手段】
【００１７】
上記した第１及び第２の課題を解決するため、本考案（請求項１の考案）は、ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面における一方の紙面に接着剤を局部的に塗布し、この局部的な接着剤塗布部を介して前記折畳み対向紙面における他方の紙面を接着し、よって折畳み紙ナプキンの前記折畳み対向紙面を前記接着剤塗布部による局部的な接着部位において接着し、この局部的な接着部位を、前記折畳み紙ナプキンの横幅サイズ方向における横幅間隔を区画する両位置であり、該両位置において前記横折れ目と交わる延長方向における一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ、前記接着剤塗布部を介して接着される他方の紙面における前記接着部位の近くの位置に切れ目を形成し、この切れ目を該接着部位の位置より前記横折れ目の方向に形成すると共に該接着部位の横巾より広い範囲に亘って前記折畳み紙ナプキンの縦幅方向と交わる方向に延びる切れ目長さの横幅方向切れ目とした紙ナプキン兼用挿入袋を提供する。
【００１８】
また、第１及び第２の課題を解決するため、本考案（請求項２の考案）は、ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面における一方の紙面に接着剤を局部的に塗布し、この局部的な接着剤塗布部を介して前記折畳み対向紙面における他方の紙面を接着し、よって折畳み紙ナプキンの前記折畳み対向紙面を前記接着剤塗布部による局部的な接着部位において接着し、この局部的な接着部位を、前記折畳み紙ナプキンの横幅サイズ方向における横幅間隔を区画する両位置であり、該両位置において前記横折れ目と交わる延長方向における一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ、前記接着剤塗布部を介して接着される他方の紙面における前記接着部位の近くの位置に切れ目を形成し、この切れ目を、該接着部位の位置より前記横折れ目の方向に形成すると共に該接着部位の横巾より広い範囲に亘って前記折畳み紙ナプキンの縦幅方向と交わる方向に延びる切れ目長さの横幅方向切れ目と、該接着部位の両側近くの位置から前記横幅方向切れ目と交わる方向に延びる２本の縦幅方向切れ目とした紙ナプキン兼用挿入袋を提供する。
【００１９】
上記した本考案（請求項１、２の考案）によれば、折畳み紙ナプキンの前記折畳み対向紙面は接着剤（前記接着剤塗布部）による局部的な接着部位において強固に接着され、且つ接着部位の近くの位置に形成した切れ目の範囲を限定しているため、挿入袋として機能させる場合、折畳み紙ナプキンの前記折畳み対向紙面を剥離しにくい強い接着状態に保持できる。そして、例えば、接着力が強い接着剤（例えばホットメルト接着剤）を介して接着した場合においても、箸等の挿入袋としての役目を終えた挿入袋の前記折畳み対向紙面を離間方向に広げて紙ナプキンとして用いる場合に、横折れ目で二つ折りされた紙片部の端縁をつまんで離間方向に広げると、前記接着剤塗布部を介して接着された他方の紙面は、接着部位（接着剤塗布部）における紙面間の接着強さに負けて該接着部の周囲から横折れ目の方向に向け縦幅方向に破られるが、この横折れ目の方向に向けた縦幅方向への破れ連鎖を前記切れ目（横幅方向切れ目）で止めることができ、接着部位で局部的に接着されている前記折畳み対向紙面間の剥離に伴う紙面の破れを小さな範囲に抑えることができる。これにより、挿入袋として使用する際は、折畳み紙ナプキンの前記折畳み対向紙面を剥離しにくい強接着の状態に保持でき、袋としての機能を的確に保持できると共に、この袋を広げて紙ナプキンとして用いる際も、容易に広げることができ、且つ破れの少ない紙ナプキンを提供でき、第一の課題を効果的に解決できる。しかも、破り取られた破り取り紙片は、接着剤を塗布された一方の紙面の接着部（接着剤塗布部）にそのまま接着され移されるため、破り取られた破り取り紙片がゴミとなって落下することもなく、接着部（接着剤）は破り取られた破り取り紙片と接着剤塗布部側の折畳み対向紙面の間にあり表面に現れないため、口を拭う際も接着部（接着剤）が口に直接触れることもない。
【００２０】
さらに、本考案（請求項２の考案）によれば、前記切れ目（横幅方向切れ目）に加えて、接着部位の両側近くの位置から前記横幅方向切れ目と交わる方向に延び且つ該接着部位を間にして隔てる所定間隔を有する２本の縦幅方向切れ目を形成してあるため、横折れ目で二つ折りされた紙片部の端縁をつまんで離間方向に広げると、前記接着剤塗布部を介して接着された他方の紙面は、接着部位（接着剤塗布部）における紙面間の接着強さに負けて該接着部の周囲から横折れ目の方向に向け縦幅方向に破られるが、この縦幅方向への破れは前記縦幅方向切れ目に沿って縦幅方向に綺麗に切り離され、且つこの縦幅方向切れ目に沿う縦幅方向への切り離しは前記切れ目（横幅方向切れ目）で止めることができ、接着部位で局部的に接着されている前記折畳み対向紙面間の剥離に伴う紙面の破れをより小さな範囲に抑えることができると共に綺麗な破れとすることができる。
【００２１】
このように、上記した本考案（請求項１、２の考案）は、折畳み紙ナプキンの前記折畳み対向紙面を剥離しにくい強い接着状態に保持できるものとし、挿入袋としての形態保持機能を重視したものであるため、挿入袋内に挿入される物品が、重い物（ナイフ、フォーク、スプーン等の飲食用具）や、嵩張る物品（例えば、コーンソフトクリーム）の紙ナプキン兼用挿入袋として特に適している。例えば、コーンソフトクリームの挿入袋として用いる場合、袋部は長時間手で握られるため、挿入袋としての形態保持機能は特に重要である。
【００２２】
また、上記した第１及び第２の課題を解決するため、本考案（請求項３の考案）は、ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンを、前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、この局部的な接着部位を、前記折畳み紙ナプキンの横幅サイズ方向における横幅間隔を区画する両位置であり、該両位置において前記横折れ目と交わる延長方向における一箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成した紙ナプキン兼用挿入袋を提供する。
【００２３】
上記した本考案（請求項３の考案）によれば、折畳み紙ナプキンの前記折畳み対向紙面を局部的な接着部位において接着し、この折畳み対向紙面間に前記横折れ目と前記接着部位で挿入袋部を形成し、且つ前記接着部位を局部的（前記接着部位を個別に又は前記横折れ目と交わる同じ延長方向にある複数箇所の前記接着部位を複数単位として）に囲む不連続な切れ目を前記折畳み対向紙面のいずれか一方の紙面に形成したものであるため、局部的な前記接着部位を、接着力が高い接着剤（例えばホットメルト接着剤）を介して接着した場合や接着力を強くエンボス接着（例えば、このエンボス接着は前記接着部位を含む部位に水分を付与してから接着部位をエンボス接着して行なう。）した場合においても、箸、スプーン、フォーク等の挿入袋としての役目を終えた本考案の前記折畳み対向紙面を離間方向に広げて紙ナプキンとして用いる場合、前記切れ目を形成してある一方の対向紙片層の接着部はこの切れ目に沿って接着部を局部とした狭い範囲の接着紙片として容易且つ綺麗に抜き取られ、切れ目部を超えた連鎖的な大きな紙破れもなく容易且つ綺麗に広げることができる。しかも、抜き取られた抜き取り紙片は他方の折畳み対向紙面の接着部にそのまま接着され移されるため、抜き取られた抜き取り紙片がゴミとなって落下することもなく、接着部（接着剤）は抜き取られた抜き取り紙片と他方の折畳み対向紙面の間にあり表面に現れないため、口を拭う際も接着部（接着剤）が口に直接触れることもない。したがって、この考案によれば第１の課題をより効果的に解決できる。
【００２４】
本考案において、前記挿入袋部の前記挿入横幅（すなわち、接着部位によって区画された横幅方向における横幅間隔）は、この挿入袋部内に挿入される物（例えば、箸）の挿入及び取出しが容易で且つ袋部内に挿入された物（例えば、箸）が横幅方向に大きく移動しない安定した挿入状態で収容できる横幅に設定する。したがって、本考案を箸の挿入袋として用いる場合は、前記挿入袋部の前記挿入横幅（すなわち、接着部位によって区画された横幅方向における横幅間隔。）を比較的横幅の狭い箸形状に合わせて狭く設定し、箸に比べて大きな横幅部をもつスプーンやフォーク等の挿入袋として用いる場合は、箸用の挿入袋より前記挿入袋部の挿入横幅を比較的広く設定することになる。
【００２５】
上記した本考案によれば、前記接着部位を、前記折畳み紙ナプキンの横幅サイズ方向における横幅間隔を区画する両位置であり、該両位置において前記横折れ目と交わる延長方向における一箇所又は間隔をおいた複数箇所の位置とし、前記折畳み対向紙面間に前記横折れ目と前記接着部位で該接着部位によって区画された前記横幅間隔を挿入横幅とする挿入袋部を形成したものであるため、例えば、袋部内に挿入される物（例えば、箸）の横幅に比べて折畳み紙ナプキンの横幅サイズが広い場合でも、挿入された物（例えば、箸）が袋部内で特に横幅方向に大きく移動せずに安定した挿入姿勢を保持でき、第２の課題を効果的に解決できる。
【００２６】
また、本考案（請求項１８の考案）は、前記接着部位を、前記折畳み紙ナプキンの横幅サイズ方向における横幅間隔を区画する両位置であり、該両位置において前記横折れ目と交わる延長方向における間隔をおいた複数箇所の位置としたものにおいて、前記延長方向を前記横折れ目とほぼ直交するものを含むものである。これにより、前記折畳み対向紙面間に前記横折れ目と前記接着部位で該接着部位によって区画された前記横幅間隔を挿入横幅とするコ字状に区画された挿入袋部を形成できる。挿入袋部をコ字状に区画形成したものは、箸など長尺物の挿入袋として好適であり、挿入された物（例えば、箸）が挿入袋部内で特に横幅方向に大きく移動せずに安定した挿入姿勢を保持できる。
【００２７】
また、本考案（請求項１９の考案）は、前記接着部位を、前記折畳み紙ナプキンの横幅サイズ方向における横幅間隔を区画する両位置であり、該両位置において前記横折れ目と交わる延長方向における間隔をおいた複数箇所の位置としたものにおいて、前記挿入口側の前記横幅間隔を相対的に広く、前記横折れ目側の前記横幅間隔を相対的に狭く形成し、前記折畳み対向紙面間に前記横折れ目と前記接着部位で該接着部位によって区画された前記横幅間隔を挿入横幅とする略Ｖ字状に区画された挿入袋部を形成したものを含むものである。挿入袋部を略Ｖ字状に区画形成したものは、コーン形状の挿入物品（例えば、コーンソフトクリームのコーン部分）の挿入袋として好適であり、コーン形状の挿入物品を挿入袋部内に安定した挿入姿勢を保持できる。
【００２８】
また、本考案（請求項２１の考案）は、前記接着部位を、前記折畳み紙ナプキンの横幅サイズ方向に複数の横幅間隔を区画するための該横幅サイズ方向に間隔をおいた複数位置とし、前記折畳み対向紙面間に前記横折れ目と前記接着部位で該接着部位によって区画された複数の前記横幅間隔をそれぞれ挿入横幅とする複数の挿入袋部を形成したものを含むものである。この考案によれば、前記折畳み対向紙面間に前記横折れ目と前記接着部位で該接着部位によって区画された複数の前記横幅間隔をそれぞれ挿入横幅とする複数の挿入袋部を形成したものであるため、複数の挿入袋部に、例えば、フォークやナイフを個別に挿入すれば、セットで使用されることの多い物（例えば、フォークやナイフ）を一緒に一つの挿入袋内に挿入する場合でも、挿入されたフォークやナイフが挿入袋内で横幅方向に大きく移動せずに安定した挿入状態で収容でき、前記した第５の課題を効果的に解決できる。
【００２９】
本考案は、前記接着部位をスポット的なものとすることができる。また、本考案は、前記接着部位を前記横折れ目と交わる延長方向に延ばした形状とすることができる。前記接着部位を前記横折れ目と交わる延長方向に延ばした形状とすれば、さらに接着力を強化でき、挿入袋としての機能を的確に保持できる。
【００３０】
本考案（請求項２４，２５の考案）は、前記横幅方向切れ目が繋ぎ部を介さない連続した切れ目であり、前記縦幅方向切れ目が繋ぎ部を介さない連続した切れ目若しくは繋ぎ部を介した不連続な切れ目とすることができ、前記縦幅方向切れ目が繋ぎ部を介したいわゆるミシン目状の不連続な切れ目とすることが好ましい。前記縦幅方向切れ目を不連続な切れ目にすることによって、挿入袋として用いる場合の、切れ目（縦幅方向切れ目）に起因した前記折畳み対向紙面間の剥離を減少させることができる。
【００３１】
本考案は、前記切れ目が前記接着部位を局部的に囲むものとしてある。前記切れ目が、前記接着部位を個別に囲むものとすることができる。また、前記切れ目が、前記横折れ目と交わる同じ延長方向にある複数箇所の前記接着部位を複数単位として囲むものとすることができる。要するに、この切れ目は、ナプキン紙としての働きを損なわない範囲の局部的なものとしてある。
【００３２】
上記した本考案は、前記縦折り紙ナプキンを、前記縦折れ目と直交する直線状の前記横折れ目で長い縦幅と短い縦幅の二つの紙片部に前記両端縁を段違いにした二つ折り構造のものを含むものである。
【００３３】
また、本考案（請求項２８の考案）は、前記切れ目を、前記接着部位の両側に間隔を置いて形成され、切れ目方向を略同方向とした第一切れ目部と、この第一切れ目部の形成間隔より長い切れ目長さをもち、この第一切れ目部の切れ目両端と交差する位置にそれぞれ形成した第二切れ目部で形成し、前記第一切れ目部は繋ぎ部を介したミシン目状の不連続な切れ目とし、前記第二切れ目部は繋ぎ部を介さない連続した切れ目若しくは前記第一切れ目部に比べて繋ぎ部の範囲を少なくしたミシン目状の不連続な切れ目としたものを含むものである。また、本考案（請求項２９の考案）は、前記折畳み紙ナプキンを横幅方向に引っ張ると縦幅方向に沿って破れやすいが、同じ強さで縦幅方向に引っ張っても横幅方向に沿って破れにくい紙質のナプキン紙で形成したものにおいて、前記第一切れ目部（繋ぎ部を介した不連続な切れ目）の切れ目方向を縦幅方向に向けて形成し、前記第二切れ目部（繋ぎ部を介さない連続した切れ目若しくは前記第一切れ目部に比べて繋ぎ部の範囲を少なくした不連続な切れ目）の切れ目方向を前記第一切れ目部の切れ目方向と交差するように形成したものを含むものである。
【００３４】
折畳み紙ナプキンを形成するナプキン紙は、一般的に、横幅方向の引っ張り強さに比べて縦幅方向の引っ張り強さを強く形成してある。すなわち、ナプキン紙は、横幅方向に引っ張ると縦幅方向に沿って破れやすいが、同じ強さで縦幅方向に引っ張っても横幅方向に沿って破れにくい紙質に形成してある。特に、前記第一切れ目部（繋ぎ部を介した不連続な切れ目）の切れ目方向を縦幅方向に向けて形成し、前記第二切れ目部（繋ぎ部を介さない連続した切れ目若しくは前記第一切れ目部に比べて繋ぎ部の範囲を少なくした不連続な切れ目）の切れ目方向を前記第一切れ目部の切れ目方向と交差するように形成した、ナプキン紙の前述した紙質を考慮して提供した本考案の前記切れ目によれば、紙ナプキンとして広げて用いるまでは不可抗力で破れにくい。しかも、前記第二切れ目部の切れ目方向を前記第一切れ目部（切れ目方向を縦幅方向に向けて形成した）の切れ目方向と交差するように形成してあるため、縦幅方向に沿って破れやすい前記第一切れ目部の切れ目方向の破れ広がりを前記第二切れ目部で止めることができる。よって、挿入袋としての役目を終えた本考案の前記折り畳み対向紙面を開け広げて紙ナプキンとして用いる場合、前記切れ目を形成してある一方の対向紙片層の接着部は、前記第一及び第二切れ目部からなる切れ目に沿って接着部を局部とした狭い範囲の接着紙片として更に容易且つ綺麗に抜き取れる。
【００３５】
また、上記した第３の課題を解決するため、本考案（請求項４の考案）は、横幅方向に略均等な間隔をおいた互いに平行な複数の直線状の縦折れ目で、略均等な横幅の四つ以上の紙片を区画したナプキン紙であり、このナプキン紙を、前記縦折れ目で複数回折畳み、この複数回折畳みにおける最後の折畳みが既に折畳まれた該ナプキン紙の横幅方向の中心部に位置する前記縦折れ目を中心部縦折れ目とした二つ折りとし、前記中心部縦折れ目で二つ折りされた二つの折畳み部の両方が略均等な横幅の紙片を二層以上重ねた折畳み形態とし、この折畳み形態において少なくとも一側縁が前記中心部縦折れ目で形成された両側縁をもち、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向における一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成した紙ナプキン兼用挿入袋を提供する。
【００３６】
同様に、上記した第３の課題を解決するため、本考案（請求項５の考案）は、ナプキン紙を直線状の縦折れ目で略均等な横幅の紙片に二つ折りし、二つ折りされた該ナプキン紙を前記縦折れ目と平行で且つ横幅方向の中心部に位置する中心部縦折れ目に沿って更に二つ折りし、前記中心部縦折れ目で二つ折りされた二つの折畳み部の両方が略均等な横幅の紙片を二層重ねた折畳み形態とし、この折畳み形態において前記中心部縦折れ目で一側縁を形成すると共に前記縦折れ目又はこの縦折れ目と平行な側縁で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目及び前記中心部縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向における一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成した紙ナプキン兼用挿入袋を提供する。
【００３７】
上記した第３の課題を解決するために提供した本考案（請求項４、５の考案）によれば、前記中心部縦折れ目で二つ折りされた二つの折畳み部の両方が略均等な横幅の折畳み片部を二層以上重ねた折畳み形態としてあるため、挿入袋としては、その全体の横幅サイズを比較的狭いものとすることができ、紙ナプキンとしては、横幅方向に広げた全体の横幅サイズを比較的広いものとすることができ、第３の課題を解決できる。
【００３８】
また、上記した第４の課題を解決するため、本考案（請求項６の考案）は、ナプキン紙の横幅方向の両側部を互いに平行な直線状の側部縦折れ目に沿って内側に折畳み、両側縁を前記側部縦折れ目とした縦折りナプキン紙とし、この縦折りナプキン紙を前記側部縦折れ目と平行で且つ前記側部縦折れ目間の横幅方向の中心部に位置する中心部縦折れ目に沿って前記側部縦折れ目で折畳まれた紙片を内側にして更に二つ折りに折畳み、前記中心部縦折れ目で二つ折りされた二つの折畳み部の両方の側縁が前記側部縦折れ目で形成された折畳み形態とし、この折畳み形態において前記中心部縦折れ目で一側縁を形成すると共に前記側部縦折れ目で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向における一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成した紙ナプキン兼用挿入袋を提供する。
【００３９】
また、上記した第４の課題（第３の課題も）を解決するため、本考案（請求項７の考案）は、横幅方向の略中心に位置する中心部縦折れ目と該中心部縦折れ目と互いに平行であり該中心部縦折れ目を基準にして左右横幅方向に略均等な間隔をおいた側部縦折れ目とで、横幅方向に略均等な四つの紙片を区画したナプキン紙とし、このナプキン紙の両側の紙片を該紙片を区画する前記側部縦折れ目に沿って内側に折畳み、両側縁を前記側部縦折れ目とした略二層重ね構造の縦折りナプキン紙とし、この縦折りナプキン紙を前記側部縦折れ目間の横幅方向の中心部に位置する前記中心部縦折れ目に沿って前記側部縦折れ目で折畳まれた紙片を内側にして更に二つ折りに折畳み、前記中心部縦折れ目で二つ折りされた二つの折畳み部の両方の側縁が前記側部縦折れ目で形成された折畳み形態とし、この折畳み形態において前記中心部縦折れ目で一側縁を形成すると共に前記側部縦折れ目で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向における一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成した紙ナプキン兼用挿入袋を提供する。
【００４０】
また、上記した第４の課題を解決するため、本考案（請求項８の考案）は、横幅方向に略均等な間隔をおいた互いに平行な縦折れ目で、横幅方向に略均等な三つの紙片を区画すると共に、一端側の前記紙片の側部に前記縦折れ目と平行な短紙片用縦折れ目で区画された前記紙片より短い横幅の短紙片をもつナプキン紙であり、このナプキン紙の両側の紙片及び短紙片を、これらの紙片を区画する縦折れ目に沿って内側に折畳み、両側縁を前記縦折れ目と前記短紙片用縦折れ目とした縦折りナプキン紙とし、この縦折りナプキン紙を、前記縦折れ目と前記短紙片用縦折れ目との間の横幅方向の中心部に位置する前記縦折れ目を中心部縦折れ目として該中心部縦折れ目に沿って前記縦折れ目で折畳まれた紙片及び短紙片を内側にして更に二つ折りに折畳み、前記中心部縦折れ目で二つ折りされた二つの折畳み部の両方の側縁が縦折れ目で形成された折畳み形態とし、この折畳み形態において前記中心部縦折れ目で一側縁を形成すると共に前記縦折れ目で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向における一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成した紙ナプキン兼用挿入袋を提供する。
【００４１】
また、上記した第４の課題を解決するため、本考案（請求項９の考案）は、ナプキン紙の両側部を該ナプキン紙の横幅方向の中心部に至らない横幅の短い短紙片とするべく互いに平行な直線状の側部縦折れ目に沿って内側に折畳み、両側縁を前記側部縦折れ目とした縦折りナプキン紙とし、この縦折りナプキン紙を前記側部縦折れ目と平行で且つ前記側部縦折れ目間の横幅方向の中心部に位置する中心部縦折れ目に沿って前記側部縦折れ目で折畳まれた短紙片を内側にして更に二つ折りに折畳み、前記中心部縦折れ目で二つ折りされた二つの折畳み部の両方の側縁が前記側部縦折れ目で形成された折畳み形態とし、この折畳み形態において前記中心部縦折れ目で一側縁を形成すると共に前記側部縦折れ目で他側縁を形成し、この両側縁で横幅サイズを区画すると共にこの両側縁と交わる両端縁で縦幅サイズを区画された縦折り紙ナプキンであり、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向における一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成した紙ナプキン兼用挿入袋を提供する。
【００４２】
また、上記した第４の課題（第３の課題も）を解決するため、本考案（請求項１０の考案）は、横幅方向の略中心に位置する中心部縦折れ目と該中心部縦折れ目と互いに平行であり該中心部縦折れ目を基準にして左右横幅方向に略均等な間隔をおいた側部縦折れ目とで、横幅方向に略均等な四つの紙片を区画すると共に、一端側の紙片の側部に前記側部縦折れ目と平行な短紙片用縦折れ目で区画された前記紙片より短い横幅の短紙片をもつナプキン紙であり、このナプキン紙の前記短紙片が反対側の紙片間に挟まれるように前記側部縦折れ目で両側の紙片を内側に折畳み、前記側部縦折れ目で内側に折畳まれた紙片を内側にして前記中心部縦折れ目及び該中心部縦折れ目と略同一線上に位置する前記短紙片用縦折れ目で更に二つ折りに折畳み、前記中心部縦折れ目で二つ折りされた二つの折畳み部の両方の側縁が前記側部縦折れ目で形成された折畳み形態とし、この折畳み形態において、前記中心部縦折れ目で一側縁を形成すると共に前記側部縦折れ目で他側縁を形成し、この両側縁で横幅サイズを区画すると共にこの両側縁と交わる両端縁で縦幅サイズを区画され、且つ前記短紙片が反対側の紙片間に挟まれた状態で前記短紙片用縦折れ目に沿って折畳まれた縦折り紙ナプキンとし、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向における一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成した紙ナプキン兼用挿入袋を提供する。
【００４３】
また、上記した第４の課題（第３の課題も）を解決するため、本考案（請求項１１の考案）は、横幅方向の略中心に位置する中心部縦折れ目と該中心部縦折れ目と互いに平行であり該中心部縦折れ目を基準にして左右横幅方向に略均等な間隔をおいた側部縦折れ目とで、横幅方向に略均等な四つの紙片を区画すると共に、両端側の前記紙片の側部に前記側部縦折れ目と平行な短紙片用縦折れ目で区画された前記紙片より短い横幅の短紙片をそれぞれもつナプキン紙であり、このナプキン紙の一方の前記短紙片が反対側の紙片間に挟まれると共に他方の前記短紙片が反対側の紙片上に重なるように前記側部縦折れ目で両側の紙片を内側に折畳み、前記側部縦折れ目で内側に折畳まれた紙片を内側にして前記中心部縦折れ目及び該中心部縦折れ目と略同一線上に位置する前記短紙片用縦折れ目で更に二つ折りに折畳み、前記中心部縦折れ目で二つ折りされた二つの折畳み部の両方の側縁が前記側部縦折れ目で形成された折畳み形態とし、この折畳み形態において、前記中心部縦折れ目で一側縁を形成すると共に前記側部縦折れ目で他側縁を形成し、この両側縁で横幅サイズを区画すると共にこの両側縁と交わる両端縁で縦幅サイズを区画され、且つ一方の短紙片が反対側の紙片間に挟まれた状態で前記短紙片用縦折れ目に沿って折畳まれると共に他方の短紙片も前記短紙片用縦折れ目に沿って折畳まれた縦折り紙ナプキンとし、この縦折り紙ナプキンを前記縦折れ目と直交する直線状の横折れ目で二つの紙片部に二つ折りし、前記両紙片部間に互いに重ね合わされた折畳み対向紙面をもつ折畳み紙ナプキンであり、この折畳み紙ナプキンの前記折畳み対向紙面を局部的な接着部位において接着し、前記接着部位を、横幅サイズ方向における横幅間隔を区画する両位置であり、該両位置において前記横折れ目と交わる延長方向における一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共に、この挿入袋部の開放端側を挿入口として形成し、且つ前記接着部位を局部的に囲む不連続な切れ目を前記折畳み対向紙面のいずれか一方の紙面に形成した紙ナプキン兼用挿入袋を提供する。
【００４４】
上記した第４の課題を解決するために提供した本考案（請求項６〜１１の各考案）によれば、いずれも、前記中心部縦折れ目で二つ折りされた二つの折畳み部の両方の側縁が前記側部縦折れ目で形成された折畳み形態とし、この折畳み形態において、前記中心部縦折れ目で一側縁を形成すると共に前記側部縦折れ目で他側縁を形成した、折畳み形状であるため、挿入袋としての使用後に、この袋を広げて紙ナプキンとして用いる際に、二つ折り状態から広げられた、いわゆる縦折り紙ナプキンを、両方の前記側部縦折れ目の部分を摘んで広げることができ、横幅方向に広げることが容易である。また、本考案（請求項７、１０、１１の各考案）によれば、両側縁を前記側部縦折れ目とした略二層重ね構造の縦折りナプキン紙とし、この縦折りナプキン紙を前記側部縦折れ目と平行で且つ前記側部縦折れ目間の横幅方向の中心部に位置する中心部縦折れ目に沿って前記側部縦折れ目で折畳まれた紙片を内側にして更に二つ折りに折畳む、折畳み形状であり、結果として、第３の課題を解決するために提供した考案の折畳み形状（前記中心部縦折れ目で二つ折りされた二つの折畳み部の両方が略均等な横幅の紙片を二層重ねた折畳み形態となる。）となるため、挿入袋としては、その全体の横幅サイズを比較的狭いものとすることができ、紙ナプキンとしては、横幅方向に広げた全体の横幅サイズを比較的広いものとすることができ、第３の課題も合わせて解決できる。
【００４５】
特に、第４の課題（第３の課題も）を解決するために提供した本考案（請求項１０、１１の考案）によれば、前記短紙片が反対側の紙片間に挟まれた状態で前記短紙片用縦折れ目（この短紙片用縦折れ目と前記中心部縦折れ目とは略同一線上に位置する）に沿って折畳まれた、折畳み形状としてあるため、紙ナプキンとして用いる際に、両方の前記側部縦折れ目の部分を摘んで横幅方向に広げると、挟まれた前記短紙片によって反対側の紙片間が離れるように作用し、この短紙片の上に重ねられた反対側の紙片を摘んで更に横幅方向に広げるのが容易であり、この短紙片を摘んで該短紙片側の紙片を更に横幅方向に広げるのも容易である。また、本考案（請求項１１の考案）によれば、両方の短紙片を摘んで該短紙片に連なる紙片を更に横幅方向に広げることができる。
【００４６】
また、上記した第６の課題を解決するため、本考案（請求項３０の考案）は、一方の前記紙片部における前記挿入袋部の挿入口に対応した位置の端縁を縦幅方向に凹む湾曲した凹状部に形成し、他方の前記紙片部における前記挿入袋部の挿入口に対応した位置の端縁を前記凹状部の凹み面積に対応した縦幅方向に突出する湾曲した凸状舌片に形成した紙ナプキン兼用挿入袋を提供する。また、上記した第６の課題を解決するため、本考案（請求項３２の考案）は、前記縦折り紙ナプキンを、前記縦折れ目と直交する直線状の横折れ目で長い縦幅と短い縦幅の二つの紙片部に前記両端縁を段違いにして二つ折りにしたものにおいて、前記短い縦幅の紙片部における前記挿入袋部の挿入口に対応した位置の端縁を縦幅方向に凹む湾曲した凹状部に形成し、前記長い縦幅の紙片部における前記挿入袋部の挿入口に対応した位置の端縁を前記凹状部の凹み面積に対応した縦幅方向に突出する湾曲した凸状舌片に形成した紙ナプキン兼用挿入袋を提供する。
【００４７】
箸、スプーン、フォーク等の挿入袋として用いる場合、段違い二つ折りの折り畳み紙ナプキンは長い縦幅の紙片部を下にしてテーブル面にセットしている。この考案によれば、段違い二つ折り前の縦幅長さを一定の長さ（例えば、一般的に流通している折畳み紙ナプキンは２４〜２５ｃｍが主流。）に限定しているナプキン紙であっても、長い縦幅の紙片部の縦幅方向の面積を凸状舌片の縦長さ範囲だけ更に広くできる。長い縦幅の紙片部を下にしてテーブル面にセットして挿入袋として用いる場合、テーブル面と箸、スプーン、フォーク等との接触範囲が更に少なくなって衛生的である。しかも、短い縦幅の紙片部の端縁を凹状部に湾曲形成してあるため、箸、スプーン、フォーク等を挿入口から挿入袋部へ入れやすい利点もある。
【００４８】
また、上記した第６の課題を解決するため、本考案（請求項１２の考案）は、ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンであり、この縦折り紙ナプキンの前記両端縁を、前記両側縁間の中心で該両側縁と平行に設定された縦中心線を略基準にして、一方の側縁に至る凹み部を画成する凹み端縁と他方の側縁に至る突片部を画成する突状端縁とでそれぞれ形成し、前記両端縁にそれぞれ形成された前記凹み端縁と前記突状端縁は、前記縦中心線を略基準にして互いに左右逆位置に成るように形成してあり、この縦折り紙ナプキンを、前記縦折れ目と直交する直線状の横折れ目で二つの紙片部に二つ折りし、前記両紙片部間に互いに重ね合わされた折畳み対向紙面をもつと共に、一方の紙片部の前記凹み端縁を該凹み端縁の後位置に在る他方の紙片部の前記突状端縁に対してそれぞれ低い段違い構造に形成した折畳み紙ナプキンであり、この折畳み紙ナプキンの前記折畳み対向紙面を局部的な接着部位において接着し、前記接着部位を、前記折畳み紙ナプキンの横幅サイズ方向の中心部位置と該中心部位置から左右いずれか一方の横幅サイズ方向に間隔をおいた位置とした、横幅サイズ方向における横幅間隔を区画する両位置であり、該両位置において前記横折れ目と交わる延長方向における一箇所又は間隔をおいた複数箇所の位置としてあり、前記折畳み対向紙面間に前記横折れ目と前記接着部位で該接着部位によって区画された前記横幅間隔を挿入横幅とする挿入袋部を形成すると共にこの挿入袋部の開放端側を挿入口として形成し、且つ前記接着部位を局部的に囲む不連続な切れ目を前記折畳み対向紙面のいずれか一方の紙面に形成した紙ナプキン兼用挿入袋を提供する。
【００４９】
この考案によれば、前記両端縁にそれぞれ形成された前記凹み端縁と前記突状端縁は、前記縦中心線を略基準にして互いに左右逆位置に成るように形成し、一方の紙片部の前記凹み端縁を該凹み端縁の後位置に在る他方の紙片部の前記突状端縁に対してそれぞれ低い段違い構造に形成した折畳み紙ナプキンを構成要素としているため、挿入袋部を形成してある高い段違い構造の前記突状端縁の側を下にしてテーブル面にセットして挿入袋として用いる場合、テーブル面と箸、スプーン、フォーク等との接触範囲が相対的に少なくなって衛生的であり、しかも、挿入袋部の挿入口を形成する低い段違い構造の凹み端縁から箸、スプーン、フォーク等を出し入れしやすい利点もある。
【００５０】
また、上記した第６の課題を解決するため、本考案（請求項１３の考案）は、ナプキン紙を直線状の縦折れ目で一回又は複数回折畳み、この折畳み形態において前記縦折れ目又はこの縦折れ目と平行な側縁で横幅サイズを区画する両側縁をもつと共にこの両側縁と交わる両端縁で縦幅サイズを区画された縦折り紙ナプキンであり、この縦折り紙ナプキンの前記両端縁を、前記両側縁間の中心で該両側縁と平行に設定された縦中心線を略基準にして、一方の側縁に至る凹み部を画成する凹み端縁と他方の側縁に至る突片部を画成する突状端縁とでそれぞれ形成し、前記両端縁にそれぞれ形成された前記凹み端縁と前記突状端縁は、前記縦中心線を略基準にして互いに左右逆位置に成るように形成してあり、この縦折り紙ナプキンを、前記縦折れ目と直交する直線状の横折れ目で二つの紙片部に二つ折りし、前記両紙片部間に互いに重ね合わされた折畳み対向紙面をもつと共に、一方の紙片部の前記凹み端縁を該凹み端縁の後位置に在る他方の紙片部の前記突状端縁に対してそれぞれ低い段違い構造に形成した折畳み紙ナプキンであり、この折畳み紙ナプキンの前記折畳み対向紙面を局部的な接着部位において接着し、前記接着部位を、前記折畳み紙ナプキンの横幅サイズ方向の中心部位置と該中心部位置から左右両方の横幅サイズ方向にそれぞれ間隔をおいた位置とした、横幅サイズ方向における複数の横幅間隔を区画する複数位置であり、該複数位置において前記横折れ目と交わる延長方向における一箇所又は間隔をおいた複数箇所の位置としてあり、前記折畳み対向紙面間に前記横折れ目と前記接着部位で該接着部位によって区画された複数の前記横幅間隔をそれぞれ挿入横幅とする複数の挿入袋部を形成すると共にこの挿入袋部の開放端側を挿入口として形成し、且つ前記接着部位を局部的に囲む不連続な切れ目を前記折畳み対向紙面のいずれか一方の紙面に形成した紙ナプキン兼用挿入袋を提供する。
【００５１】
この考案によれば、前記折畳み紙ナプキンの横幅サイズ方向の中心部位置を基準とした左右にそれぞれ挿入袋部を形成してあるため、前記した考案（請求項１２の考案）と同様な効果が得られると共に、表裏どちらの挿入袋面を下にしてテーブル面にセットした場合でも、前記した利点を得られる。
【００５２】
また、本考案（請求項３４、３５の考案）は、一方の前記紙片部の少なくとも表面側紙片層に、爪楊枝のつまみ部側が該表面紙片層外に露出された状態で該爪楊枝の先端部側を前記横折れ目に向けて該表面紙片層内に挿入し得る爪楊枝入れ用切れ目を形成した紙ナプキン兼用挿入袋を提供する。この爪楊枝入れ用切れ目は、前記挿入袋部の範囲内に形成するのが好ましい。この考案によれば、食後、紙ナプキンと共に用いられる爪楊枝も挿入できるため、更に便利である。
【考案の効果】
【００５３】
上記したように、本考案によれば、箸、スプーン、フォーク、ナイフ等の飲食用具やコーンソフトクリーム（コーン形状の手持ち部分を有する。）等の食べ物の挿入袋として使用する際は、挿入袋としての機能を的確に保持でき、この袋を広げて紙ナプキンとして用いる際も、局部的な接着部の近くに破れ連鎖を止める切れ目を形成した本考案、又は局部的な接着部を抜き取り可能な切れ目を形成した本考案によれば、すでに段落００１９、段落００２３等で述べたように、優れた機能及び効果を有しているため、第１の課題をより効果的に解決できる。
【００５４】
また、本考案によれば、例えば、袋部内に挿入される物（例えば、箸）の横幅に比べて折畳み紙ナプキンの横幅サイズが広い場合（ちなみに一般的に流通している折畳み紙ナプキンの横幅サイズは約８５ｍｍである。）でも、挿入された物（例えば、箸）が袋部内で特に横幅方向に大きく移動せずに安定した挿入姿勢を保持でき、第２の課題を解決できる。
【００５５】
また、本考案によれば、挿入袋としては、その全体の横幅サイズを比較的狭いものとし、紙ナプキンとしては、横幅方向に広げた全体の横幅サイズを比較的広いものとした、折畳み形状の紙ナプキン兼用の箸、スプーン、フォーク、ナイフ等の挿入袋を提供でき、第３の課題を解決できる。
【００５６】
また、本考案によれば、挿入袋としての使用後に、この袋を広げて紙ナプキンとして用いる際に、二つ折り状態から広げられた、いわゆる縦折り紙ナプキンを更に横幅方向に広げることが容易な紙ナプキン兼用の箸、スプーン、フォーク、ナイフ等の挿入袋を提供でき、第４の課題を解決できる。
【００５７】
また、本考案によれば、セットで使用されることの多い物（例えば、フォークやナイフ）を一緒に一つの挿入袋内に挿入する場合でも、挿入されたフォークやナイフが挿入袋内で特に横幅方向に大きく移動せずに安定した挿入姿勢を保持でき、第５の課題を解決できる。
【００５８】
また、一方の紙片部（短い縦幅の紙片部）の端縁を縦幅方向に凹む湾曲した凹状部に形成し、他方の紙片部（長い縦幅の紙片部）の端縁を前記凹状部の凹み面積に対応した縦幅方向に突出する湾曲した凸状舌片に形成した本考案によれば、すでに段落００４７で述べたように、特に、箸、スプーン、フォーク等の挿入袋として用いる場合に優れた機能及び効果を発揮し、第６の課題を効果的に解決できる。この考案は、市場に広く流通している段違い二つ折りの折畳み紙ナプキン（いわゆる六つ折り紙ナプキンなど）の縦幅長さが一定の長さに限定されている実情を考慮した場合、特に優れた効果を発揮するものである。
【図面の簡単な説明】
【００５９】
【図１】本考案の実施形態を示す正面図である。
【図２】図１の実施形態における接着前の広げ状態を説明的に示す正面図である。
【図３】図２のＡ−Ａ矢視線による断面図である。
【図４】図１の挿入袋を紙ナプキンとして広げた状態を説明的に示す正面図である。
【図５】図４のＢ−Ｂ矢視線による断面図である。
【図６】本考案の他の実施形態を示す正面図である。
【図７】本考案の他の実施形態を示す正面図である。
【図８】図７の実施形態における接着前の広げ状態を説明的に示す正面図である。
【図９】図７の挿入袋を紙ナプキンとして広げた状態を説明的に示す正面図である。
【図１０】本考案の他の実施形態を示す正面図である。
【図１１】図１０の実施形態における接着前の広げ状態を説明的に示す正面図である。
【図１２】図１１のＣ−Ｃ矢視線による断面図である。
【図１３】図１０の挿入袋を紙ナプキンとして広げた状態を説明的に示す正面図である。
【図１４】図１３のＤ−Ｄ矢視線による断面図である。
【図１５】本考案の他の実施形態を示す正面図である。
【図１６】本考案の他の実施形態を示す正面図である。
【図１７】本考案の他の実施形態を示す正面図である。
【図１８】本考案の他の実施形態を示す正面図である。
【図１９】本考案の他の実施形態を示す正面図である。
【図２０】本考案の他の実施形態を示す正面図である。
【図２１】図２０の実施形態における接着前の広げ状態を説明的に示す正面図である。
【図２２】図２１のＥ−Ｅ矢視線による断面図である。
【図２３】本考案の他の実施形態を示す正面図である。
【図２４】本考案の他の実施形態を示す正面図である。
【図２５】図２４の実施形態における接着前の広げ状態を説明的に示す正面図である。
【図２６】折り形態を示す概略断面図である。
【図２７】折り形態を示す概略断面図である。
【図２８】折り形態を示す概略断面図である。
【図２９】折り形態を示す概略断面図である。
【図３０】図２９の折り形態の折畳み前の参考展開図である。
【図３１】折り形態を示す概略断面図である。
【図３２】図３１の折り形態の折畳み前の参考展開図である。
【図３３】折り形態を示す概略断面図である。
【考案を実施するための形態】
【００６０】
本考案を、先ず、図１〜図５、図７〜図９、及び図１０〜図１４に示した実施形態に基づき説明する。この実施形態の紙ナプキン兼用挿入袋は、ナプキン紙を直線状の縦折れ目１で２回折畳み、この折畳み形態において前記縦折れ目１又はこの縦折れ目１と平行な側端縁２で横幅サイズを区画する両側縁３，３をもつと共にこの両側縁３，３と交わる両端縁４，４で縦幅サイズを区画された縦折り紙ナプキン５（図２の状態）を、前記縦折れ目１と略直交する直線状の横折れ目６で長い縦幅の紙片部７ａ（３層の紙片Ｓ）と短い縦幅の紙片部７ｂ（３層の紙片Ｓ）の二つの紙片部に前記両端縁４，４を段違いにして二つ折りし、前記両紙片部７ａ，７ｂ間に互いに重ね合わされる折畳み対向紙面８ａ，８ｂをもつ折畳み紙ナプキンであり、この折畳み紙ナプキンの前記折畳み対向紙面８ａ，８ｂにおける一方の紙面８ｂに接着剤１１（例えば、ホットメルト接着剤）を局部的に塗布し（図２、図８、図１１参照）、この局部的な接着剤塗布部１１を介して前記折畳み対向紙面における他方の紙面８ａを接着し、よって折畳み紙ナプキンの前記折畳み対向紙面８ａ，８ｂを前記接着剤塗布部１１による局部的な接着部位１０において接着し、この局部的な接着部位１０を、前記折畳み紙ナプキンの横幅サイズ方向における横幅間隔Ｗを区画する両位置であり、該両位置において前記横折れ目６と交わる延長方向における間隔をおいた複数箇所（二箇所）の位置としてあり、前記折畳み対向紙面８ａ，８ｂ間に前記横折れ目６と前記接着部位１０で該接着部位１０によって区画された前記横幅間隔Ｗを挿入横幅Ｗとする挿入袋部１２を形成すると共にこの挿入袋部１２の開放端側を挿入口１３として形成してある。なお、前記ナプキン紙として、この実施例では衛生紙を用いるが、紙に類した素材である不織布を除外するものではない。
【００６１】
そして、図１〜５の実施形態では、前記接着剤塗布部１１を介して接着される他方の紙面８ａにおける前記接着部位１０の近くの位置に切れ目１５を形成し、この切れ目１５を、該接着部位１０の位置より前記横折れ目６の方向に形成すると共に該接着部位１０の横巾より広い範囲に亘って前記折畳み紙ナプキンの縦幅方向と交わる方向に延びる切れ目長さの横幅方向切れ目１５Ａとしたものである。前記横幅方向切れ目１５Ａは繋ぎ部を介さない連続した切れ目としてある。
【００６２】
また、図７〜９の実施形態では、前記接着剤塗布部１１を介して接着される他方の紙面８ａにおける前記接着部位１０の近くの位置に切れ目１５を形成し、この切れ目１５を、該接着部位１０の位置より前記横折れ目６の方向に形成すると共に該接着部位１０の横巾より広い範囲に亘って前記折畳み紙ナプキンの縦幅方向と交わる方向に延びる切れ目長さの前記した横幅方向切れ目１５Ａと、該接着部位の両側近くの位置から前記横幅方向切れ目と交わる方向に延びる２本の縦幅方向切れ目１５Ｂとしてある。前記横幅方向切れ目１５Ａは繋ぎ部を介さない連続した切れ目とし、前記縦幅方向切れ目１５Ｂは繋ぎ部を介したミシン目状の不連続な切れ目としてある。なお、前記縦幅方向切れ目１５Ｂは繋ぎ部を介さない連続した切れ目としても良い。
【００６３】
図１〜図５、図７〜図９の実施形態では、前記接着剤塗布部１１を介して接着される他方の紙面８ａ側に切れ目１５を形成することを条件としている。これは、前記したように、この折畳み紙ナプキンの前記折畳み対向紙面８ａ，８ｂにおける一方の紙面８ｂに接着剤１１（例えば、ホットメルト接着剤）を局部的に塗布し（図２、図８参照）、この局部的な接着剤塗布部１１を介して前記折畳み対向紙面における他方の紙面８ａを接着した場合、この接着剤１１（例えば、ホットメルト接着剤）は、接着剤を塗布した紙面に強く接着され、この接着剤塗布部１１を介して接着される他方の紙面８ａには比較的弱く接着されることから、接着部位１０の近くの位置に形成した切れ目１５（横幅方向切れ目１５Ａ、縦幅方向切れ目１５Ｂ）の範囲を上記したように限定した場合、横折れ目６で二つ折りされた紙片部７ａ，７ｂの端縁をつまんで接着されている折畳み対向紙面８ａ，８ｂを剥がそうとすると、前記接着剤塗布部１１を介して接着される他方の紙面８ａが、接着部位１０の周囲から横折れ目６の方向に向け縦幅方向に破られるためである。なお、図１〜図５、図７〜図９の実施形態では、前記横幅方向切れ目１５Ａを湾曲形状の切れ目としてあるが、例えば直線的な切れ目でも良く、図示した切れ目形状に限定するものではない。
【００６４】
また、図１０〜１４の実施形態では、前記接着部位１０を局部的に囲む不連続な切れ目１５を前記折畳み対向紙面８ａ，８ｂを成す対向紙片層（３層の紙片のうち対向側にある紙片）の一方に形成してある。そして、この実施例でも前記切れ目１５は、図１〜図５及び図７〜図９の実施形態と同様に前記接着剤塗布部１１を介して接着される他方の紙面８ａに形成してある。なお、この実施形態の前記切れ目１５は、図示したように、前記接着部位１０を個別に囲むものとする他、複数箇所の接着部位１０を複数単位として囲む構成を除外するものではなく、これについては後述（図１７の実施例の説明において）する。また、前記切れ目１５は前記折畳み対向紙面８ａ，８ａを成す対向紙片層を含む一方の紙片部の全層（この実施形態では三層）を貫通したものでも良い。貫通切れ目の場合も、切り抜かれる接着紙片は対向紙片層のみである。
【００６５】
図１〜図５、図７〜図９、及び図１０〜図１４に示した実施形態では、接着位置（接着部位１０）を前記横折れ目６と直交する延長方向に間隔をおいた複数箇所（二箇所）としてあるが、前記横折れ目６と交わる延長方向にある一箇所としても良い。一箇所とする場合は、挿入口１３に近い位置とするのが効果的である。
【００６６】
また、図１〜図５、図７〜図９、及び図１０〜図１４に示した実施形態では、接着位置（接着部位１０）を、前記横折れ目６と略直交する延長方向に間隔をおいた複数箇所の位置とし、前記折畳み対向紙面８ａ，８ｂ間に前記横折れ目６と前記接着部位１０で該接着部位１０によって区画された前記横幅間隔Ｗを挿入横幅Ｗとするコ字状に区画された挿入袋部１２を形成してある。挿入袋部１２をコ字状に区画形成したものは、同図に示したように、箸など長尺物の挿入袋として好適であり、挿入された物（例えば、箸）が挿入袋部１２内で特に横幅方向に大きく移動せずに安定した挿入姿勢を保持できる。
【００６７】
なお、図６（及び図１５）に示したように、接着位置（接着部位１０）を、前記挿入口１３側の前記横幅間隔Ｗを相対的に広く、前記横折れ目６側の前記横幅間隔Ｗを相対的に狭く形成し、前記折畳み対向紙面８ａ，８ｂ間に前記横折れ目６と前記接着部位１０で該接着部位１０によって区画された前記横幅間隔を挿入横幅Ｗとする略Ｖ字状に区画された挿入袋部１２を形成しても良い。挿入袋部１２を略Ｖ字状に区画形成したものは、同図に示したように、コーン形状の挿入物品（例えば、コーンソフトクリームのコーン部分）の挿入袋として適している。
【００６８】
これらの実施形態では、前記接着部位１０をスポット的なものとしてある。ホットメルト接着剤によるスポット的な各接着部位は１ｍｍ〜３ｍｍ径の小さな点状接着で前記折畳み対向紙面８ａ，８ｂを局部的に確実に接着できる。なお、スポット的な接着部位１０のほか、図１６の実施形態に示したように、前記接着部位１０を前記横折れ目６と直交する延長方向に延ばした長方形状としても良い。接着部位１０を図１６のように長方形状とした場合、スポット的な接着よりも更に確実に前記折畳み対向紙面８ａ，８ｂを局部的に接着できる。
【００６９】
なお、前記挿入口１３の位置に最も近い位置（図１では最上部）あるスポット的な前記接着部位１０（接着部）の位置を、短い縦幅の紙片部７ｂの端縁４から横折れ目６の方向にずらしてあり、この端縁４とずらしたスポット的な前記接着部位１０（接着部）との間を接着してない自由端片部１４とし、挿入口１３から挿入袋部１２への箸などの挿入を容易にしている。また、この自由端片部１４を設けたことによって、この自由端片部１４を摘んで短い縦幅の紙片部７ｂを長い縦幅の紙片部７ａから離間方向に広げる操作を容易にしている。
【００７０】
これらの実施形態では、挿入袋部１２を前記折畳み紙ナプキンの横幅サイズ方向の中心部位置に形成したが、図１８の実施形態のように、挿入袋部１２を前記折畳み紙ナプキンの横幅サイズ方向の中心部位置から片方（図面では右側）にずらして形成しても良い。この構成の違いを除き、図１８の実施形態の構成は、図１〜５で説明した実施形態の構成と同じである。よって、重複する構成の説明は省略する。
【００７１】
これらの実施形態では、挿入袋部１２を単数としてある。しかし、図１９の実施形態に示したように、前記折畳み対向紙面８ａ，８ｂ間に前記横折れ目６と前記接着部位１０で該接着部位によって区画された複数の前記横幅間隔Ｗをそれぞれ挿入横幅Ｗとする略コ字状に区画された複数の挿入袋部１２，１２を形成することも可能である。図１９のように、複数の挿入袋部１２，１２に、例えば、フォークやナイフを個別に挿入すれば、セットで使用されることの多い物（例えば、フォークやナイフ）を一緒に一つの挿入袋内に挿入する場合でも、挿入されたフォークやナイフが挿入袋内で横幅方向に大きく移動せずに安定した挿入状態で収容できる、利点がある。
【００７２】
図１〜図５、図７〜図９、及び図１０〜図１４に示した実施形態の折畳み紙ナプキンは、ナプキン紙を直線状の縦折れ目１で２回折畳み三層の紙片Ｓをもつ縦折り紙ナプキン５とし（図３、図１２を参照）、この縦折り紙ナプキン５を、前記縦折れ目１と直交する直線状の横折れ目６で長い縦幅の紙片部７ａ（３層の紙片Ｓ）と短い縦幅の紙片部７ｂ（３層の紙片Ｓ）の二つの紙片部に前記両端縁４，４を段違いにして二つ折りした、いわゆる六つ折り紙ナプキンを例にしている。縦折り紙ナプキンを横折れ目６で二つ折りしたものであれば、縦折り形態は、図示したものに限定されず、ナプキン紙を直線状の縦折れ目１で１回折畳み二層の縦折り紙ナプキンとし、これを横折れ目６で二つの紙片部に二つ折りしたもの（いわゆる四つ折り紙ナプキン）、ナプキン紙を直線状の縦折れ目１で２回折畳み略Ｃ字状の二層の縦折り紙ナプキンとし、これを横折れ目６で二つの紙片部に二つ折りしたもの、など種々採用でき、特に実施形態のものに限定する必要はない。
【００７３】
前記挿入袋部１２の前記挿入横幅Ｗ（すなわち、接着部位１０によって区画された横幅方向における横幅間隔Ｗ）は、この挿入袋部１２内に挿入される物（例えば、箸）の挿入及び取出しが容易で且つ袋部内に挿入された物（例えば、箸）が横幅方向に大きく移動しない安定した挿入状態で収容できる横幅に設定する。したがって、図１、図７、図１０のように箸用の挿入袋とした場合は、前記挿入袋部１２の前記挿入横幅Ｗ（すなわち、接着部位によって区画された横幅方向における横幅間隔Ｗ）を比較的横幅の狭い箸形状に合わせて狭く設定してある。したがって、箸に比べて大きな横幅部をもつスプーンやフォーク等の挿入袋として用いる場合は、箸用の挿入袋より前記挿入袋部の挿入横幅Ｗ（すなわち、接着部位によって区画された横幅方向における横幅間隔Ｗ）を比較的広く設定することになる。
【００７４】
前記したように、図１、図７、図１０の実施例の挿入袋は、いわゆる六つ折りの折畳み紙ナプキンをベースにしている。そして、図１の実施例の挿入袋は、最も広く一般的に用いられている折畳み紙ナプキンの一つである、六つ折り紙ナプキンを採用している。この六つ折り紙ナプキンの横幅サイズは、一般的に８〜９ｃｍ程度に形成されている。このように、袋部内に挿入される物（例えば、箸）の横幅に比べて折畳み紙ナプキンの横幅サイズが広い場合でも、挿入された物（例えば、箸）が袋部内で特に横幅方向に大きく移動せずに安定した挿入姿勢を保持できるように、前記挿入袋部１２の前記挿入横幅Ｗ（すなわち、接着部位１０によって区画された横幅方向における横幅間隔Ｗ）を形成してある。
【００７５】
図１〜図５の実施形態によれば、折畳み紙ナプキンの前記折畳み対向紙面８ａ，８ｂは接着剤（前記接着剤塗布部）１１による局部的な接着部位１０において強固に接着され、且つ接着部位１０の近くの位置に形成した切れ目１５の範囲を限定しているため、挿入袋として機能させる場合、折畳み紙ナプキンの前記折畳み対向紙面８ａ，８ｂを剥離しにくい強い接着状態に保持できる。そして、例えば、接着力が強い接着剤（例えばホットメルト接着剤）を介して接着した場合においても、箸等の挿入袋としての役目を終えた挿入袋の前記折畳み対向紙面８ａ，８ｂを離間方向に広げて紙ナプキンとして用いる場合に、横折れ目６で二つ折りされた紙片部７ａ，７ｂの端縁をつまんで離間方向に広げると、前記接着剤塗布部１１を介して接着された他方の紙面８ａは、接着部位１０（接着剤塗布部１１）における紙面間の接着強さに負けて該接着部１０の周囲から横折れ目６の方向に向け縦幅方向に破られるが、この横折れ目の方向に向けた縦幅方向への破れ連鎖を前記切れ目１５（横幅方向切れ目１５Ａ）で止めることができ、接着部位１０で局部的に接着されている前記折畳み対向紙面８ａ，８ｂ間の剥離に伴う紙面の破れを小さな範囲に抑えることができる（図４参照）。これにより、挿入袋として使用する際は、折畳み紙ナプキンの前記折畳み対向紙面を剥離しにくい強接着の状態に保持でき、袋としての機能を的確に保持できると共に、この袋を広げて紙ナプキンとして用いる際も、容易に広げることができ、且つ破れの少ない紙ナプキンを提供できる。しかも、破り取られた破り取り紙片１６Ａは、接着剤１１を塗布された一方の紙面８ｂの接着部（接着剤塗布部１１）にそのまま接着され移されるため（図４、図５を参照）、破り取られた破り取り紙片１６Ａがゴミとなって落下することもなく、接着部（接着剤）は破り取られた破り取り紙片１６Ａと接着剤塗布部側の折畳み対向紙面８ｂの間にあり表面に現れないため、口を拭う際も接着部（接着剤）が口に直接触れることもない。
【００７６】
また、図７〜図９の実施形態によれば、前記切れ目（横幅方向切れ目１５Ａ）に加えて、接着部位の両側近くの位置から前記横幅方向切れ目１５Ａと交わる方向に延びる２本の縦幅方向切れ目１５Ｂを形成してあるため、横折れ目６で二つ折りされた紙片部７ａ，７ｂの端縁をつまんで離間方向に広げると、前記接着剤塗布部１１を介して接着された他方の紙面８ａは、接着部位（接着剤塗布部）における紙面間の接着強さに負けて該接着部１０の周囲から横折れ目６の方向に向け縦幅方向に破られるが、この縦幅方向への破れは前記縦幅方向切れ目１５Ｂに沿って縦幅方向に綺麗に切り離され、且つこの縦幅方向切れ目１５Ｂに沿う縦幅方向への切り離しは前記切れ目（横幅方向切れ目１５Ａ）で止めることができ、接着部位で局部的に接着されている前記折畳み対向紙面間の剥離に伴う紙面の破れをより小さな範囲に抑えることができると共に比較的綺麗な破れとすることができる（図９参照）。
【００７７】
また、図１０〜図１４の実施形態によれば、接着部位１０を局部的に囲む不連続な切れ目１５を前記折畳み対向紙面８ａ，８ｂを成す対向紙片層（３層の紙片のうち対向側にある紙片）の一方に形成したため、箸、スプーン、フォーク、ナイフ等の挿入袋としての役目を終えた本発明の前記折畳み対向紙面８ａ，８ｂを離間方向に広げて紙ナプキンとして用いる場合、前記切れ目１５を形成してある一方の対向紙片層の接着部はこの切れ目１５に沿って接着部を局部とした狭い範囲の接着紙片として容易且つ綺麗に抜き取られ（図１３を参照）、切れ目部を超えた連鎖的な大きな紙破れもなく容易且つ綺麗に広げることができる。しかも、抜き取られた抜き取り紙片１６ａは他方の折畳み対向紙面の接着部にそのまま接着され移されるため（図１３、図１４を参照）、抜き取られた抜き取り紙片１６ａがゴミとなって落下することもなく、接着部（接着剤）は抜き取られた抜き取り紙片１６ａと他方の折畳み対向紙面の間にあり表面に現れないため、口を拭う際も接着部（接着剤）が口に直接触れることもない。
【００７８】
図１７の実施形態に示したように、前記切れ目１５は、前記横折れ目６と交わる同じ延長方向にある複数箇所の前記接着部位１０を複数単位として囲む構成としても良い。図１７では接着部位１０を長方形状としてあるが、複数のスポット的な接着部位１０を複数単位として囲む構成としても良いことは勿論である。なお、図１７は図１０の実施形態をベースとして示してあるが、図１７で示した係る特徴は、接着部位１０を局部的に囲む不連続な切れ目１５としてある本考案の他の実施形態においても、適用できる。
【００７９】
前記切れ目１５（接着部位１０を局部的に囲む不連続な切れ目１５）は、前記接着部位１０の両側に間隔を置いて形成され、切れ目方向を略同方向とした第一切れ目部１５ａと、この第一切れ目部１５ａの形成間隔より長い切れ目長さをもち、この第一切れ目部１５ａの切れ目両端と交差する位置にそれぞれ形成した第二切れ目部１５ｂで形成される。そして、前記第一切れ目部１５ａは繋ぎ部を介したミシン目状の不連続な切れ目とし、前記第二切れ目部１５ｂは繋ぎ部を介さない連続した切れ目としてある。
【００８０】
このナプキン紙は、広く流通している通常の折畳み紙ナプキンと同様に、横幅方向に引っ張ると縦幅方向に沿って破れやすいが、同じ強さで縦幅方向に引っ張っても横幅方向に沿って破れにくい紙質で形成されている。この紙質に鑑み、前記第一切れ目部１５ａ（繋ぎ部を介した不連続な切れ目）の切れ目方向を縦幅方向に向けて形成し、前記第二切れ目部１５ｂ（繋ぎ部を介さない連続した切れ目）の切れ目方向を前記第一切れ目部１５ａの切れ目方向と交差するように形成した。なお、前記第二切れ目部１５ｂは前記第一切れ目部１５ａに比べて繋ぎ部の範囲を少なくしたミシン目状の切れ目とすることも可能である。ナプキン紙の前述した紙質を考慮して提供した前記切れ目によれば、紙ナプキンとして広げて用いるまでは不可抗力で破れにくい。しかも、前記第二切れ目部１５ｂの切れ目方向を前記第一切れ目部１５ａ（切れ目方向を縦幅方向に向けて形成した）の切れ目方向と交差するように形成してあるため、縦幅方向に沿って破れやすい前記第一切れ目部１５ａの切れ目方向の破れ広がりを前記第二切れ目部１５ｂで止めることができる。よって、挿入袋としての役目を終えた本考案の前記折り畳み対向紙面を開け広げて紙ナプキンとして用いる場合、前記切れ目１５を形成してある一方の対向紙片層の接着部は、前記第一及び第二切れ目部からなる切れ目１５に沿って接着部を局部とした狭い範囲の接着紙片として更に容易且つ綺麗に抜き取れる。
【００８１】
箸、スプーン、フォーク、ナイフ等の挿入袋として使用した後は、この挿入袋の接着した前記折畳み対向紙面８ａ，８ｂを離間方向に広げ、この広げ状態（前記した縦折り紙ナプキン５の状態）又はこの広げ状態から更に縦折れ目１を介して広げた状態の紙ナプキンとして使用する。この実施形態では、局部接着した前記折畳み対向紙面８ａ，８ｂを離間方向に広げると、前記切れ目１５を形成してある一方の対向紙片層の接着部はこの切れ目に沿って接着部を局部とした狭い範囲の接着紙片として容易且つ綺麗に抜き取られ、抜き取られた抜き取り紙片１６ａは他方の折畳み対向紙面の接着部にそのまま接着され移される。
【００８２】
なお、その他の実施形態において、図１〜５の実施形態と同符号のものは、実質的に同じ構成である。よって、重複する構成の説明は省略する。
【００８３】
次に、図２０〜図２２の実施形態について説明する。この実施形態の紙ナプキン兼用挿入袋は、前記横折れ目６で二つの紙片部に二つ折りする前の折畳み形状（図２２、図２６のイに示した折畳み形状）と、横折れ目６で二つの紙片部に二つ折りされた両端縁４，４の形状を特徴としている。なお、この実施形態の切れ目１５は、図１０〜図１４の実施形態と同様な切れ目としてあるが、図１〜図５や図７〜図９の実施形態に示した切れ目とすることも可能である。図２０〜図２２に示した実施形態のその他の構成は、図１０〜図１４の実施形態の構成と実質的に同じある。よって、重複する構成の説明は省略する。
【００８４】
図２０〜図２２の実施形態では、前記横折れ目６で二つの紙片部に二つ折りする前の縦折り紙ナプキン５の折り形状（図２２及び図２６のイに示した折畳み形状）を、横幅方向の略中心に位置する中心部縦折れ目１ａと該中心部縦折れ目１ａと互いに平行であり該中心部縦折れ目１ａを基準にして左右横幅方向に略均等な間隔をおいた側部縦折れ目１ｂとで、横幅方向に略均等な四つの紙片Ｓを区画したナプキン紙とし、このナプキン紙の両側の紙片Ｓを該紙片を区画する前記側部縦折れ目１ｂに沿って内側に折畳み、両側縁を前記側部縦折れ目１ｂとした略二層重ね構造の縦折りナプキン紙とし、この縦折りナプキン紙を前記側部縦折れ目１ｂ，１ｂ間の横幅方向の中心部に位置する前記中心部縦折れ目１ａに沿って前記側部縦折れ目１ｂで折畳まれた紙片Ｓを内側にして更に二つ折りに折畳み、前記中心部縦折れ目１ａで二つ折りされた二つの折畳み部の両方の側縁が前記側部縦折れ目１ｂで形成された折畳み形態とし、この折畳み形態において前記中心部縦折れ目１ａで一側縁３を形成すると共に前記側部縦折れ目１ｂで他側縁３を形成し、この両側縁３，３で横幅サイズを区画すると共にこの両側縁３，３と交わる両端縁４，４で縦幅サイズを区画されたものとしてある。
【００８５】
前記縦折れ目１（中心部縦折れ目１ａ、側部縦折れ目１ｂ）で折畳まれた４層の紙片Ｓをもつ縦折り紙ナプキン５（図２２を参照）を、前記縦折れ目１（中心部縦折れ目１ａ、側部縦折れ目１ｂ）と直交する直線状の横折れ目６で長い縦幅の紙片部７ａ（４層の紙片Ｓ）と短い縦幅の紙片部７ｂ（４層の紙片Ｓ）の二つの紙片部に前記両端縁４，４を段違いにして二つ折りして、図２０に示した合計８層の紙片から成る八つ折り状態の折畳み紙ナプキンとしている。
【００８６】
この折畳み形状（図２２、図２６のイに示した折畳み形状）をもつ図２０〜図２２の実施形態によれば、前記中心部縦折れ目１ａで二つ折りされた二つの折畳み部の両方の側縁が前記側部縦折れ目１ｂ，１ｂで形成された折畳み形態とし、この折畳み形態において、前記中心部縦折れ目１ａで一側縁を形成すると共に前記側部縦折れ目１ｂ，１ｂで他側縁を形成した、折畳み形状であるため、挿入袋としての使用後に、この袋を広げて紙ナプキンとして用いる際に、二つ折り状態から広げられた、いわゆる縦折り紙ナプキン５を、両方の前記側部縦折れ目１ｂ，１ｂの部分を摘んで広げることができ、横幅方向に広げることが容易である。しかも、両側縁を前記側部縦折れ目１ｂ，１ｂとした略二層重ね構造の縦折りナプキン紙とし、この縦折りナプキン紙を前記側部縦折れ目１ｂと平行で且つ前記側部縦折れ目１ｂ，１ｂ間の横幅方向の中心部に位置する中心部縦折れ目１ａに沿って前記側部縦折れ目１ｂで折畳まれた紙片Ｓを内側にして更に二つ折りに折畳む、折畳み形状であり、前記中心部縦折れ目１ａで二つ折りされた二つの折畳み部の両方が略均等な横幅の紙片Ｓを二層重ねた折畳み形態となるため、挿入袋としては、その全体の横幅サイズを比較的狭いものとすることができ、紙ナプキンとしては、横幅方向に広げた全体の横幅サイズを比較的広いものとすることができる。この実施形態の挿入袋は、全体の横幅サイズを比較的狭いものとすることができるため、箸の挿入袋として最適である。
【００８７】
また、図２０〜図２２の実施形態では、横折れ目６で二つの紙片部７ａ，７ｂに二つ折りされた両端縁４，４の形状を、前記短い縦幅の紙片部７ｂにおける前記挿入袋部１２の挿入口１３に対応する位置の端縁４（この実施例では中央部寄り端縁４）を縦幅方向に凹む湾曲した凹状部２０に形成し、前記長い縦幅の紙片部７ａにおける前記挿入袋部１２の挿入口１３に対応する位置の端縁４（この実施例では中央部寄り端縁４）を前記凹状部２０の凹み面積に対応した縦幅方向に突出する湾曲した凸状舌片２１に形成してある。両端縁４，４をこのように形成したことによって、段違い二つ折り前の縦幅長さを一定の長さ（例えば、一般的に流通している折畳み紙ナプキンは２４〜２５ｃｍが主流。）に限定しているナプキン紙であっても、長い縦幅の紙片部７ａの縦幅方向の面積を凸状舌片２１の縦長さ範囲だけ更に広くでき、この長い縦幅の紙片部７ａを下にしてテーブル面にセットして挿入袋として用いる場合、テーブル面と箸、スプーン、フォーク等との接触範囲が更に少なくなって衛生的である。しかも、短い縦幅の紙片部７ｂの端縁４を湾曲した凹状部２０に形成してあるため、箸、スプーン、フォーク等を挿入口１３から挿入袋部１２へ入れやすい利点もある。
【００８８】
図２０〜図２２の実施形態では、図１〜５の実施例と同様に、折畳み対向紙面８ａ，８ｂ間に前記横折れ目６と前記接着部位１０で該接着部位１０によって区画された前記横幅間隔Ｗを挿入横幅Ｗとする略コ字状に区画された挿入袋部１２を形成してある。しかし、図示してないが、両側縁部３，３のうち一方の側縁部３の近くを接着部位１０として接着剤を介して部分的に接着し、前記折り畳み対向紙面８ａ，８ｂ間に前記横折れ目６と一方側の前記接着部位１０で略Ｌ字状に区画された挿入袋部１２を形成すると共にこの挿入袋部の開放端側を挿入口１３として形成することもできる。
【００８９】
図２３の実施形態は、短い縦幅の紙片部７ｂの少なくとも表面側紙片層（図２０の実施例をベースにしたこの実施例では４層紙片Ｓの表面側紙片層）に、爪楊枝のつまみ部側が該表面紙片層外に露出された状態で該爪楊枝の先端部側を前記横折れ目６に向けて該表面紙片層内に挿入し得る爪楊枝入れ用切れ目２５を形成してある。この爪楊枝入れ用切れ目２５は、前記挿入袋部１２の範囲内に形成するのが好ましい。この考案によれば、食後、紙ナプキンと共に用いられる爪楊枝も挿入できるため、更に便利である。なお、図２３は図２０の実施形態をベースとして示してあるが、この爪楊枝入れ用切れ目２５は、本考案の他の実施形態の挿入袋にも形成可能である。
【００９０】
また、図２４、図２５の実施形態は、横折れ目６で二つの紙片部７ｃ，７ｃに二つ折りされた両端縁４，４の形状を特徴としている。図２５に示したように、この縦折り紙ナプキン５の前記両端縁４，４を、前記両側縁間の中心で該両側縁と平行に設定された縦中心線を略基準にして、一方の側縁に至る凹み部を画成する凹み端縁２２と他方の側縁に至る突片部を画成する突状端縁２３とでそれぞれ形成し、前記両端縁にそれぞれ形成された前記凹み端縁２２と前記突状端縁２３は、前記縦中心線を略基準にして互いに左右逆位置に成るように形成してある。そして、この縦折り紙ナプキンを、図２４に示したように、前記縦折れ目と直交する直線状の横折れ目６で二つの紙片部７ｃ，７ｃに二つ折りし、一方の紙片部７ｃの前記凹み端縁２２を該凹み端縁の後位置に在る他方の紙片部７ｃの前記突状端縁２３に対してそれぞれ低い段違い構造に形成してある。この折畳み紙ナプキンの前記折畳み対向紙面を局部的な接着部位１０において接着し、前記折畳み対向紙面８ａ，８ｂ間に前記横折れ目６と前記接着部位１０で該接着部位によって区画された複数の前記横幅間隔Ｗをそれぞれ挿入横幅Ｗとする略コ字状に区画された複数の挿入袋部１２を形成すると共にこの挿入袋部の開放端側を挿入口１３として形成したものである。なお、この実施形態の切れ目１５は、図１０〜図１４の実施形態と同様な切れ目としてあるが、図１〜図５や図７〜図９の実施形態に示した切れ目とすることも可能である。図２４、図２５に示した実施形態のその他の構成は、図１０〜図１４の実施形態の構成と実質的に同じある。よって、重複する構成の説明は省略する。
【００９１】
図２４、図２５の実施形態の挿入袋によれば、前記両端縁４，４にそれぞれ形成された前記凹み端縁２２と前記突状端縁２３は、前記縦中心線を略基準にして互いに左右逆位置に成るように形成し、一方の紙片部の前記凹み端縁２２を該凹み端縁の後位置に在る他方の紙片部の前記突状端縁２３に対してそれぞれ低い段違い構造に形成した折畳み紙ナプキンを構成要素としているため、挿入袋部１２を形成してある高い段違い構造の前記突状端縁２３の側を下にしてテーブル面にセットして挿入袋として用いる場合、テーブル面と箸、スプーン、フォーク等との接触範囲が相対的に少なくなって衛生的であり、しかも、挿入袋部１２の挿入口１３を形成する低い段違い構造の凹み端縁２２から箸、スプーン、フォーク等を出し入れしやすい利点もある。しかも、前記折畳み紙ナプキンの横幅サイズ方向の中心部位置を基準とした左右にそれぞれ挿入袋部１２，１２を形成してあるため、表裏どちらの挿入袋面を下にしてテーブル面にセットした場合でも、前記した利点を得られる。
【００９２】
次に、前記横折れ目６で二つの紙片部に二つ折りする前の折畳み形状（前記縦折り紙ナプキン５としての折畳み形状）について、図２６〜図３３の実施例に基づいて説明する。なお、図２６〜図２９、図３１、図３３におけるイ、ロ、ハは、挿入袋を広げて紙ナプキンとして用いる際に、横折れ目６を介した二つ折り状態から広げられた、いわゆる縦折り紙ナプキンの状態を（イ）とし、この状態から横幅方向に広げる状態を（ロ）（ハ）で示している。
【００９３】
図２６〜図３２の実施例の折畳み形状（前記縦折り紙ナプキン５としての折畳み形状）は、いずれも、中心部縦折れ目１ａで二つ折りされた二つの折畳み部の両方の側縁が側部縦折れ目１ｂ，１ｂで形成された折畳み形態であり、この折畳み形態において、前記中心部縦折れ目で一側縁を形成すると共に前記側部縦折れ目１ｂ，１ｂで他側縁を形成した、折畳み形状であるため、挿入袋としての使用後に、この袋を広げて紙ナプキンとして用いる際に、二つ折り状態から広げられた、いわゆる縦折り紙ナプキン５を、両方の前記側部縦折れ目１ｂ，１ｂの部分を摘んで横幅方向に広げることができる。
【００９４】
また、図２６（図２２の実施例も同じ）、図２９、図３１の各実施例の折畳み形状によれば、両側縁を前記側部縦折れ目１ｂ，１ｂとした略二層重ね構造の縦折りナプキン紙とし、この縦折りナプキン紙を前記側部縦折れ目１ｂと平行で且つ前記側部縦折れ目１ｂ，１ｂ間の横幅方向の中心部に位置する中心部縦折れ目１ａに沿って前記側部縦折れ目１ｂで折畳まれた紙片Ｓを内側にして更に二つ折りに折畳む、折畳み形状であり、結果として、第四の課題を解決するために提供した考案の折畳み形状（前記中心部縦折れ目１ａで二つ折りされた二つの折畳み部の両方が略均等な横幅の紙片Ｓを二層重ねた折畳み形態となる。）となるため、挿入袋としては、その全体の横幅サイズを比較的狭いものとすることができ、紙ナプキンとしては、横幅方向に広げた全体の横幅サイズを比較的広いものとすることができる。
【００９５】
図２６の実施例の折畳み形状は、図２０〜図２２の実施形態で採用した折畳み形状（図２２の折畳み形状）である。すなわち、横幅方向の略中心に位置する中心部縦折れ目１ａと該中心部縦折れ目１ａと互いに平行であり該中心部縦折れ目１ａを基準にして左右横幅方向に略均等な間隔をおいた側部縦折れ目１ｂとで、横幅方向に略均等な四つの紙片Ｓを区画したナプキン紙とし、このナプキン紙の両側の紙片Ｓを該紙片を区画する前記側部縦折れ目１ｂに沿って内側に折畳み、両側縁を前記側部縦折れ目１ｂとした略二層重ね構造の縦折りナプキン紙とし、この縦折りナプキン紙を前記側部縦折れ目１ｂ，１ｂ間の横幅方向の中心部に位置する前記中心部縦折れ目１ａに沿って前記側部縦折れ目１ｂで折畳まれた紙片Ｓを内側にして更に二つ折りに折畳み、前記中心部縦折れ目１ａで二つ折りされた二つの折畳み部の両方の側縁が前記側部縦折れ目１ｂで形成された折畳み形態とし、この折畳み形態において前記中心部縦折れ目１ａで一側縁３を形成すると共に前記側部縦折れ目１ｂで他側縁３を形成し、この両側縁３，３で横幅サイズを区画すると共にこの両側縁３，３と交わる両端縁４，４で縦幅サイズを区画したものとしてある。
【００９６】
図２７の実施例の折畳み形状は、横幅方向に略均等な間隔をおいた互いに平行な縦折れ目１で、横幅方向に略均等な三つの紙片Ｓを区画すると共に、一端側の前記紙片Ｓの側部に前記縦折れ目１と平行な短紙片用縦折れ目１ｃで区画された前記紙片Ｓより短い横幅の短紙片Ｓａをもつナプキン紙であり、このナプキン紙の両側の紙片Ｓ及び短紙片Ｓａを、これらの紙片を区画する縦折れ目１，１ｃに沿って内側に折畳み、両側縁を前記縦折れ目１と前記短紙片用縦折れ目１ｃとした縦折りナプキン紙とし、この縦折りナプキン紙を、前記縦折れ目１と前記短紙片用縦折れ目１ｃとの間の横幅方向の中心部に位置する前記縦折れ目を中心部縦折れ目１ａとして該中心部縦折れ目１ａに沿って前記縦折れ目で折畳まれた紙片Ｓ及び短紙片Ｓａを内側にして更に二つ折りに折畳み、前記中心部縦折れ目１ａで二つ折りされた二つの折畳み部の両方の側縁が縦折れ目１，１ｃで形成された折畳み形態とし、この折畳み形態において前記中心部縦折れ目で一側縁を形成すると共に前記縦折れ目１，１ｃで他側縁を形成し、この両側縁で横幅サイズを区画すると共にこの両側縁と交わる両端縁４，４で縦幅サイズを区画したものとしてある。
【００９７】
図２８の実施例の折畳み形状は、ナプキン紙の両側部を該ナプキン紙の横幅方向の中心部に至らない横幅の短い短紙片Ｓａ，Ｓａとするべく互いに平行な直線状の側部縦折れ目１ｂ，１ｂに沿って内側に折畳み、両側縁を前記側部縦折れ目１ｂ，１ｂとした縦折りナプキン紙とし、この縦折りナプキン紙を前記側部縦折れ目１ｂと平行で且つ前記側部縦折れ目１ｂ，１ｂ間の横幅方向の中心部に位置する中心部縦折れ目１ａに沿って前記側部縦折れ目１ｂで折畳まれた短紙片Ｓａを内側にして更に二つ折りに折畳み、前記中心部縦折れ目１ａで二つ折りされた二つの折畳み部の両方の側縁が前記側部縦折れ目１ｂ，１ｂで形成された折畳み形態とし、この折畳み形態において前記中心部縦折れ目１ａで一側縁を形成すると共に前記側部縦折れ目１ｂ，１ｂで他側縁を形成し、この両側縁３，３で横幅サイズを区画すると共にこの両側縁と交わる両端縁４，４で縦幅サイズを区画したものとしてある。
【００９８】
図２９の実施例の折畳み形状は、横幅方向の略中心に位置する中心部縦折れ目１ａと該中心部縦折れ目１ａと互いに平行であり該中心部縦折れ目１ａを基準にして左右横幅方向に略均等な間隔をおいた側部縦折れ目１ｂ，１ｂとで、横幅方向に略均等な四つの紙片Ｓを区画すると共に、一端側の紙片Ｓの側部に前記側部縦折れ目１ｂと平行な短紙片用縦折れ目１ｃで区画された前記紙片Ｓより短い横幅の短紙片Ｓａをもつナプキン紙であり（図３０の展開図を参照）、このナプキン紙の前記短紙片Ｓａが反対側の紙片Ｓ，Ｓ間に挟まれるように前記側部縦折れ目１ｂで両側の紙片Ｓ，Ｓを内側に折畳み、前記側部縦折れ目１ｂで内側に折畳まれた紙片Ｓを内側にして前記中心部縦折れ目１ａ及び該中心部縦折れ目と略同一線上に位置する前記短紙片用縦折れ目１ｃで更に二つ折りに折畳み、前記中心部縦折れ目１ａで二つ折りされた二つの折畳み部の両方の側縁が前記側部縦折れ目１ｂ，１ｂで形成された折畳み形態とし、この折畳み形態において、前記中心部縦折れ目１ａで一側縁を形成すると共に前記側部縦折れ目１ｂ，１ｂで他側縁を形成し、この両側縁３，３で横幅サイズを区画すると共にこの両側縁と交わる両端縁４，４で縦幅サイズを区画され、且つ前記短紙片Ｓａが反対側の紙片Ｓ，Ｓ間に挟まれた状態で前記短紙片用縦折れ目１ｃに沿って折畳まれたものとしてある。
【００９９】
図３１の実施例の折畳み形状は、横幅方向の略中心に位置する中心部縦折れ目１ａと該中心部縦折れ目と互いに平行であり該中心部縦折れ目１ａを基準にして左右横幅方向に略均等な間隔をおいた側部縦折れ目１ｂ，１ｂとで、横幅方向に略均等な四つの紙片Ｓを区画すると共に、両端側の前記紙片Ｓ，Ｓの側部に前記側部縦折れ目１ｂと平行な短紙片用縦折れ目１ｃで区画された前記紙片Ｓより短い横幅の短紙片Ｓａ，Ｓａをそれぞれもつナプキン紙であり（図３２の展開図を参照）、このナプキン紙の一方の前記短紙片Ｓａが反対側の紙片Ｓ，Ｓ間に挟まれると共に他方の前記短紙片Ｓａが反対側の紙片Ｓ上に重なるように前記側部縦折れ目１ｂで両側の紙片Ｓ，Ｓを内側に折畳み、前記側部縦折れ目１ｂで内側に折畳まれた紙片Ｓを内側にして前記中心部縦折れ目１ａ及び該中心部縦折れ目と略同一線上に位置する前記短紙片用縦折れ目１ｃで更に二つ折りに折畳み、前記中心部縦折れ目１ａで二つ折りされた二つの折畳み部の両方の側縁が前記側部縦折れ目１ｂ，１ｂで形成された折畳み形態とし、この折畳み形態において、前記中心部縦折れ目１ａで一側縁を形成すると共に前記側部縦折れ目１ｂ，１ｂで他側縁を形成し、この両側縁３，３で横幅サイズを区画すると共にこの両側縁と交わる両端縁４，４で縦幅サイズを区画され、且つ一方の短紙片Ｓａが反対側の紙片Ｓ，Ｓ間に挟まれた状態で前記短紙片用縦折れ目１ｃに沿って折畳まれると共に他方の短紙片Ｓａも前記短紙片用縦折れ目１ｃに沿って折畳まれたものとしてある。
【０１００】
特に、図２９、図３１の各実施例の折畳み形状によれば、前記短紙片Ｓａが反対側の紙片Ｓ，Ｓ間に挟まれた状態で前記短紙片用縦折れ目１ｃ（この短紙片用縦折れ目１ｃと前記中心部縦折れ目１ａとは略同一線上に位置する）に沿って折畳まれた、折畳み形状としてあるため、紙ナプキンとして用いる際に、両方の前記側部縦折れ目１ｂ，１ｂの部分を摘んで横幅方向に広げると、挟まれた前記短紙片Ｓａによって反対側の紙片Ｓ，Ｓ間が離れるように作用し、この短紙片Ｓａの上に重ねられた反対側の紙片Ｓを摘んで更に横幅方向に広げるのが容易であり、この短紙片Ｓａを摘んで該短紙片側の紙片Ｓを更に横幅方向に広げるのも容易である。また、図３１の実施例によれば、両方の短紙片Ｓａ，Ｓａを摘んで該短紙片に連なる紙片Ｓ，Ｓを更に横幅方向に広げることができる。
【０１０１】
図３３の実施例の折畳み形状（前記縦折り紙ナプキン５としての折畳み形状）は、横幅方向に略均等な間隔をおいた互いに平行な複数の直線状の縦折れ目１で、略均等な横幅の四つ以上の紙片Ｓを区画したナプキン紙であり、このナプキン紙を、前記縦折れ目１で複数回折畳み、この複数回折畳みにおける最後の折畳みが既に折畳まれた該ナプキン紙の横幅方向の中心部に位置する前記縦折れ目１を中心部縦折れ目１ａとした二つ折りとし、前記中心部縦折れ目１ａで二つ折りされた二つの折畳み部の両方が略均等な横幅の紙片Ｓを二層以上重ねた折畳み形態とし、この折畳み形態において少なくとも一側縁が前記中心部縦折れ目１ａで形成された両側縁３，３をもち、この両側縁で横幅サイズを区画すると共にこの両側縁と交わる両端縁４，４で縦幅サイズを区画したものである。さらに具体的には、ナプキン紙を直線状の縦折れ目１で略均等な横幅の紙片に二つ折りし、二つ折りされた該ナプキン紙を前記縦折れ目１と平行で且つ横幅方向の中心部に位置する中心部縦折れ目１ａに沿って更に二つ折りし、前記中心部縦折れ目１ａで二つ折りされた二つの折畳み部の両方が略均等な横幅の紙片Ｓを二層重ねた折畳み形態とし、この折畳み形態において前記中心部縦折れ目１ａで一側縁を形成すると共に前記縦折れ目１又はこの縦折れ目と平行な側端縁で他側縁を形成し、この両側縁３，３で横幅サイズを区画すると共にこの両側縁と交わる両端縁４，４で縦幅サイズを区画したものである。この折畳み形状によれば、前記中心部縦折れ目１ａで二つ折りされた二つの折畳み部の両方が略均等な横幅の紙片Ｓを二層以上重ねた折畳み形態としてあるため、挿入袋としては、その全体の横幅サイズを比較的狭いものとすることができ、紙ナプキンとしては、横幅方向に広げた全体の横幅サイズを比較的広いものとすることができる。
【実施例１】
【０１０２】
図２、図８、図１１における縦幅サイズは約２４〜２５ｃｍ、横幅サイズは約８ｃｍである。なお、箸専用の挿入袋として用いる場合は図２１のように横幅サイズを前記サイズより狭く設定しても良い。
【実施例２】
【０１０３】
図２１における縦幅サイズは約２４〜２５ｃｍ、横幅サイズは約６ｃｍである。
【産業上の利用可能性】
【０１０４】
例えば、使い捨ての箸は環境問題から順次、洗って再利用する箸に変わりつつある。然し箸を裸で出す事は、衛生上の問題で、再利用箸も、使い捨て箸と同様、袋に挿入して提供している。この袋は箸を取り出した時点でその役目は終わり、単なるゴミとして捨てられている。本発明によれば、和食洋食を問わず広く提供されている折畳み紙ナプキンを箸、スプーン、フォーク、ナイフ等の挿入袋と兼用にすることによって、従来の専用袋を不要にできる。本発明は、資源を節約でき、ゴミも減量できるため、産業上の利用価値が高いものと言える。
【符号の説明】
【０１０５】
１  縦折れ目
２  側端縁
３，３  両側縁
４，４  両端縁
５  縦折り紙ナプキン
６  横折れ目
７ａ  長い縦幅の紙片部
７ｂ  短い縦幅の紙片部
８ａ，８ｂ  折畳み対向紙面
１０  接着部位（接着部）
１１  接着剤（接着剤塗布部）
１２  挿入袋部
Ｗ  挿入袋部の挿入横幅（接着部位によって区画された前記横幅間隔）
１３  挿入口
１４  自由端片部
１５  切れ目
１５Ａ  横幅方向切れ目
１５Ｂ  縦幅方向切れ目
１５ａ  第一切れ目部
１５ｂ  第二切れ目部
１６Ａ  破り取り紙片
１６ａ  抜き取り紙片
２０  凹状部
２１  凸状舌片
２２  凹み端縁
２３  突状端縁
２５  爪楊枝入れ用切れ目
１ａ  中心部縦折れ目
１ｂ  側部縦折れ目
１ｃ  短紙片用縦折れ目
Ｓ  紙片
Ｓａ  短紙片
【図１】
0003155561.tif 000003
【図２】
0003155561.tif 000004
【図３】
0003155561.tif 000005
【図４】
0003155561.tif 000006
【図５】
0003155561.tif 000007
【図６】
0003155561.tif 000008
【図７】
0003155561.tif 000009
【図８】
0003155561.tif 000010
【図９】
0003155561.tif 000011
【図１０】
0003155561.tif 000012
【図１１】
0003155561.tif 000013
【図１２】
0003155561.tif 000014
【図１３】
0003155561.tif 000015
【図１４】
0003155561.tif 000016
【図１５】
0003155561.tif 000017
【図１６】
0003155561.tif 000018
【図１７】
0003155561.tif 000019
【図１８】
0003155561.tif 000020
【図１９】
0003155561.tif 000021
【図２０】
0003155561.tif 000022
【図２１】
0003155561.tif 000023
【図２２】
0003155561.tif 000024
【図２３】
0003155561.tif 000025
【図２４】
0003155561.tif 000026
【図２５】
0003155561.tif 000027
【図２６】
0003155561.tif 000028
【図２７】
0003155561.tif 000029
【図２８】
0003155561.tif 000030
【図２９】
0003155561.tif 000031
【図３０】
0003155561.tif 000032
【図３１】
0003155561.tif 000033
【図３２】
0003155561.tif 000034
【図３３】
0003155561.tif 000035